(57)【特許請求の範囲】
【請求項１】
端末でアップリンクサウンディング参照信号を転送する方法であって、
互いに異なる２つ以上の送受信ポイントのうちの１つの送受信ポイントから、前記１つの送受信ポイントの物理セルＩＤと独立しアップリンクチャンネルと連携したアップリンク参照信号ＩＤを指示する端末−特定構成情報を受信し、
前記アップリンク参照信号ＩＤを使用して前記アップリンク参照信号ＩＤが指示する送受信ポイントに前記アップリンクチャンネルを転送し、
前記二つ以上の送受信ポイントのうちの１つの送受信ポイントの物理セルＩＤを使用して、アップリンクチャンネルと独立した、サウンディング参照信号を生成し、
前記生成されたサウンディング参照信号を前記二つ以上の送受信ポイントのうちの１つの送受信ポイントに転送すること、
を含むみ、
前記アップリンクサウンディング参照信号は、周期的サウンディング参照信号及び非周期的サウンディング参照信号の少なくとも１つを含み、
前記サウンディング参照信号の生成は、前記周期的サウンディング参照信号及び前記非周期的サウンディング参照信号の双方を、前記二つ以上の送受信ポイントのうちの１つの送受信ポイントの物理セルＩＤを使用して生成することを含み、
前記サウンディング参照信号の転送は、前記周期的サウンディング参照信号及び前記非周期的サウンディング参照信号の一方を、前記物理セルＩＤにより指示される前記１つの送受信ポイントに転送することを含む、
端末のアップリンクサウンディング参照信号転送方法。
【請求項２】
前記アップリンクチャンネルは、物理アップリンク共有チャンネル（physical uplink shared channel）及び物理アップリンク制御チャンネル（physical uplink control channel）の少なくとも１つである、請求項１に記載の端末のアップリンクサウンディング参照信号転送方法。
【請求項３】
前記端末−特定構成情報を受信することは、前記端末−特定構成情報を端末−特定パラメータを通じて受信すること、または、ＰＤＣＣＨ（Physical Downlink Control Channel）及びＥＰＤＣＣＨ（enhanced PDCCH）の少なくとも１つを通じて動的に受信することを含む、請求項１に記載の端末のアップリンクサウンディング参照信号転送方法。
【請求項４】
互いに異なる２つ以上の送受信ポイントのうちの１つの送受信ポイントから、前記１つの送受信ポイントの物理セルＩＤと独立しアップリンクチャンネルと連携したアップリンク参照信号ＩＤを指示する端末−特定構成情報を受信する受信部と、
前記アップリンク参照信号ＩＤを使用して前記アップリンク参照信号ＩＤが指示する送受信ポイントにアップリンクチャンネルを転送するアップリンクチャンネル転送部と、
前記２つ以上の送受信ポイントのうちの１つの送受信ポイントの物理セルＩＤを使用して、アップリンクチャンネルと独立した、サウンディング参照信号を生成するサウンディング参照信号生成部と、
前記生成されたサウンディング参照信号を、前記２つ以上の送受信ポイントのうちの１つの送受信ポイントに転送するサウンディング参照信号転送部と、
を含むみ、
前記サウンディング参照信号は、周期的サウンディング参照信号及び非周期的サウンディング参照信号の少なくとも１つを含み、
前記サウンディング参照信号生成部は、前記周期的サウンディング参照信号及び前記非周期的サウンディング参照信号の双方を、前記二つ以上の送受信ポイントのうちの１つの送受信ポイントの物理セルＩＤを使用して生成し、
前記サウンディング参照信号転送部は、前記周期的サウンディング参照信号及び前記非周期的サウンディング参照信号の一方を、前記物理セルＩＤにより指示される前記１つの送受信ポイントに転送する、
端末。
【請求項５】
前記アップリンクチャンネルは、物理アップリンク共有チャンネル（physical uplink shared channel）及び物理アップリンク制御チャンネル（physical uplink control channel）の少なくとも１つである、請求項４に記載の端末。
【請求項６】
前記受信部は、前記端末−特定構成情報を端末−特定パラメータを通じて受信する、または、ＰＤＣＣＨ（Physical Downlink Control Channel）及びＥＰＤＣＣＨ（enhanced PDCCH）の少なくとも１つを通じて動的に受信する、請求項４に記載の端末。
【請求項７】
端末でアップリンクサウンディング参照信号を転送する方法であって、
互いに異なる２つ以上の送受信ポイントのうちの１つの送受信ポイントから、前記１つの送受信ポイントの物理セルＩＤと独立しアップリンクチャンネルと連携したアップリンク参照信号ＩＤを指示する端末−特定構成情報を受信し、
前記アップリンク参照信号ＩＤを使用して前記アップリンク参照信号ＩＤが指示する送受信ポイントに前記アップリンクチャンネルを転送し、
前記二つ以上の送受信ポイントのうちの１つの送受信ポイントの物理セルＩＤを使用して、アップリンクチャンネルと独立した、サウンディング参照信号を生成し、
前記生成されたサウンディング参照信号を前記二つ以上の送受信ポイントのうちの１つの送受信ポイントに転送すること、
を含み、
前記サウンディング参照信号は、周期的サウンディング参照信号及び非周期的サウンディング参照信号の少なくとも１つを含み、
前記サウンディング参照信号を生成することは、前記周期的サウンディング参照信号及び前記非周期的サウンディング参照信号の一方を、前記１つの送受信ポイントの物理セルＩＤを使用して生成し、他方のサウンディング参照信号を、前記アップリンク参照信号ＩＤを使用して生成することを含み、
前記サウンディング参照信号を転送することは、前記周期的サウンディング参照信号及び前記非周期的サウンディング参照信号の一方を前記１つの送受信ポイントに転送し、他方のサウンディング参照信号を前記アップリンク参照信号ＩＤが指示する送受信ポイントに転送することを含む、
端末のアップリンクサウンディング参照信号転送方法。
【請求項８】
互いに異なる２つ以上の送受信ポイントのうちの１つの送受信ポイントから、前記１つの送受信ポイントの物理セルＩＤと独立しアップリンクチャンネルと連携したアップリンク参照信号ＩＤを指示する端末−特定構成情報を受信する受信部と、
前記アップリンク参照信号ＩＤを使用して前記アップリンク参照信号ＩＤが指示する送受信ポイントにアップリンクチャンネルを転送するアップリンクチャンネル転送部と、
前記２つ以上の送受信ポイントのうちの１つの送受信ポイントの物理セルＩＤを使用して、アップリンクチャンネルと独立した、サウンディング参照信号を生成するサウンディング参照信号生成部と、
前記生成されたサウンディング参照信号を、前記２つ以上の送受信ポイントのうちの１つの送受信ポイントに転送するサウンディング参照信号転送部と、
を含み、
前記サウンディング参照信号は、周期的サウンディング参照信号及び非周期的サウンディング参照信号の少なくとも１つを含み、
前記サウンディング参照信号生成部は、前記周期的サウンディング参照信号及び前記非周期的サウンディング参照信号の一方を、前記１つの送受信ポイントの物理セルＩＤを使用して生成し、他方のサウンディング参照信号を、前記アップリンク参照信号ＩＤを使用して生成し、
前記サウンディング参照信号転送部は、前記周期的サウンディング参照信号及び前記非周期的サウンディング参照信号の一方を前記１つの送受信ポイントに転送し、他方のサウンディング参照信号を前記アップリンク参照信号ＩＤが指示する送受信ポイントに転送する、端末。
【請求項９】
端末におけるアップリンクサウンディング参照信号を転送する方法であって、
互いに異なる２つ以上の送受信ポイントのうちの１つの送受信ポイントから、アップリンクチャンネルのためのアップリンク参照信号ＩＤと区分されて独立的に設定された、サウンディング参照信号ＩＤを指示する端末−特定構成情報を受信し、
前記アップリンク参照信号ＩＤを使用して前記アップリンク参照信号ＩＤが指示する送受信ポイントに前記アップリンクチャンネルを転送し、
前記サウンディング参照信号ＩＤを使用してサウンディング参照信号を生成し、
前記サウンディング参照信号ＩＤが指示する送受信ポイントに前記生成されたサウンディング参照信号を転送すること、
を含む、端末のアップリンクサウンディング参照信号転送方法。
【請求項１０】
前記サウンディング参照信号は、周期的サウンディング参照信号及び非周期的サウンディング参照信号の少なくとも１つを含み、
前記サウンディング参照信号ＩＤを指示する端末−特定構成情報は、前記周期的サウンディング参照信号及び前記非周期的サウンディング参照信号に対して同一な参照信号ＩＤを指示する、請求項９に記載の端末のアップリンクサウンディング参照信号転送方法。
【請求項１１】
前記サウンディング参照信号は、周期的サウンディング参照信号及び非周期的サウンディング参照信号の少なくとも１つを含み、
前記サウンディング参照信号ＩＤを指示する端末−特定構成情報は、前記周期的サウンディング参照信号及び前記非周期的サウンディング参照信号に対して互いに異なる参照信号ＩＤを指示する、請求項９に記載の端末のアップリンクサウンディング参照信号転送方法。
【請求項１２】
前記サウンディング参照信号は、周期的サウンディング参照信号及び非周期的サウンディング参照信号の少なくとも１つを含み、
前記サウンディング参照信号を生成することは、前記周期的サウンディング参照信号及び前記非周期的サウンディング参照信号の一方を、前記サウンディング参照信号ＩＤを使用して生成し、他方のサウンディング参照信号を、前記１つの送受信ポイントの物理セルＩＤを使用して生成することを含み、
前記サウンディング参照信号を転送することは、前記周期的サウンディング参照信号及び前記非周期的サウンディング参照信号の一方を前記サウンディング参照信号ＩＤが指示する送受信ポイントに転送し、他方のサウンディング参照信号を前記１つの送受信ポイントに転送することを含む、請求項９に記載の端末のアップリンクサウンディング参照信号転送方法。
【請求項１３】
前記端末−特定構成情報を受信することは、前記端末−特定構成情報を端末−特定パラメータを通じて受信すること、または、ＰＤＣＣＨ（Physical Downlink Control Channel）及びＥＰＤＣＣＨ（enhanced PDCCH）の少なくとも１つを通じて動的に受信することを含む、請求項９に記載の端末のアップリンクサウンディング参照信号転送方法。
【発明の詳細な説明】
【背景技術】
【０００１】
本発明は、物理アップリンクチャンネルと、アップリンクサウンディング参照信号転送に関するものである。
【０００２】
２つ以上の送受信ポイントが協力して信号を転送する多重ポイント協力型送受信システム（coordinated multi-point transmission/reception System；ＣｏＭＰシステム）において、アップリンク周波数依存的なスケジューリングのためにアップリンクチャンネル状態を測定し、チャンネル可逆性（channel reciprocity）を用いてダウンリンクビームフォーミング（Downlink beamforming）のためにアップ／ダウンリンクのチャンネル状態を測定することに使われるサウンディング参照信号（ＳＲＳ）転送が必要であった。
【発明の概要】
【課題を解決するための手段】
【０００３】
少なくとも１つの実施形態によれば、端末（ＵＥ）におけるアップリンクサウンディング参照信号を転送するための方法が提供される。この方法は、互いに異なる２つ以上の送受信ポイントのうちの１つの送受信ポイントから上記１つの送受信ポイントの物理セルＩＤと独立した、アップリンクチャンネルと関連した、アップリンク参照信号ＩＤを指示する端末−特定構成情報を受信し、上記アップリンク参照信号ＩＤを使用して上記アップリンク参照信号ＩＤが指示する送受信ポイントに上記アップリンクチャンネルを転送し、上記１つの送受信ポイントの物理セルＩＤを使用してアップリンクチャンネルと独立したサウンディング参照信号を生成し、上記１つの送受信ポイントに上記生成されたサウンディング参照信号を上記１つの送受信ポイントに転送することを含む。
【０００４】
上記サウンディング参照信号は、周期的サウンディング参照信号及び非周期的サウンディング参照信号の少なくとも１つを含むことができる。上記サウンディング参照信号を生成することは、上記周期的サウンディング参照信号及び上記非周期的サウンディング参照信号の双方を、上記１つの送受信ポイントの物理セルＩＤを使用して生成することを含むことができる。上記サウンディング参照信号を転送することは、上記周期的サウンディング参照信号及び非周期的サウンディング参照信号の一方を、上記物理セルＩＤが指示する上記１つの送受信ポイントに転送することを含むことができる。
【０００５】
上記サウンディング参照信号は、周期的サウンディング参照信号及び非周期的サウンディング参照信号の少なくとも１つを含むことができる。上記サウンディング参照信号を生成することは、上記周期的サウンディング参照信号及び上記非周期的サウンディング参照信号の一方を、上記１つの送受信ポイントの物理セルＩＤを使用して生成し、他方のサウンディング参照信号を、アップリンク参照信号ＩＤを使用して生成することを含むことができる。上記サウンディング参照信号を転送することは、上記周期的サウンディング参照信号及び非周期的サウンディング参照信号のうちの一方を上記１つの送受信ポイントに転送し、他方のサウンディング参照信号を上記アップリンク参照信号ＩＤが指示する送受信ポイントに転送することができる。
【０００６】
上記アップリンクチャンネルは、物理アップリンク共有チャンネル及び物理アップリンク制御チャンネルの少なくとも１つでありうる。
【０００７】
上記端末−特定構成情報を受信することは、上記端末−特定構成情報を端末−特定パラメータを通じて受信すること、または、物理ダウンリンク制御チャンネル（physical downlink control channel：ＰＤＣＣＨ）及び拡張物理ダウンリンク制御チャンネル（enhanced physical downlink control channel：ＥＰＤＣＣＨ）の少なくとも１つを通じて動的に受信することを含むことができる。
【０００８】
本発明の他の実施形態によれば、端末（ＵＥ）におけるアップリンクサウンディング参照信号を転送するための方法が提供される。この方法は、互いに異なる２つ以上の送受信ポイントのうちの１つの送受信ポイントから、アップリンクチャンネルのためのアップリンク参照信号ＩＤと区分されて独立的に設定された、サウンディング参照信号ＩＤを指示する端末−特定構成情報を受信し、上記サウンディング参照信号ＩＤを使用して上記サウンディング参照信号を生成し、上記サウンディング参照信号ＩＤが指示する送受信ポイントに上記生成されたサウンディング参照信号を転送することを含む。
【０００９】
上記サウンディング参照信号は、周期的サウンディング参照信号及び非周期的サウンディング参照信号の少なくとも１つを含むことができる。上記サウンディング参照信号ＩＤを指示する端末−特定構成情報は、上記周期的サウンディング参照信号及び上記非周期的サウンディング参照信号に対して同一な参照信号ＩＤを指示することができる。
【００１０】
上記サウンディング参照信号は、周期的サウンディング参照信号及び非周期的サウンディング参照信号の少なくとも１つを含むことができる。上記サウンディング参照信号ＩＤを指示する端末−特定構成情報は、上記周期的サウンディング参照信号及び上記非周期的サウンディング参照信号に対して互いに異なる参照信号ＩＤを指示することができる。
【００１１】
上記サウンディング参照信号は、周期的サウンディング参照信号及び非周期的サウンディング参照信号の少なくとも１つを含むことができる。上記サウンディング参照信号を生成することは、上記周期的サウンディング参照信号及び上記非周期的サウンディング参照信号の一方を、上記サウンディング参照信号ＩＤを使用して生成し、他方のサウンディング参照信号を、上記１つの送受信ポイントの物理セルＩＤを使用して生成することを含むことができる。上記サウンディング参照信号を転送することは、上記周期的サウンディング参照信号及び上記非周期的サウンディング参照信号の一方を上記サウンディング参照信号ＩＤが指示する送受信ポイントに転送し、他方のサウンディング参照信号を上記１つの送受信ポイントに転送することを含むことができる。
【００１２】
上記アップリンクチャンネルは、物理アップリンク共有チャンネル及び物理アップリンク制御チャンネルの少なくとも１つでありうる。
【００１３】
上記端末−特定構成情報を受信することは、上記端末−特定構成情報を端末−特定パラメータを通じて受信すること、または、ＰＤＣＣＨまたはＥＰＤＣＣＨの少なくとも１つを通じて動的に受信することを含むことができる。
【００１４】
更に他の実施形態によれば、端末が提供される。端末は、互いに異なる２つ以上の送受信ポイントのうちの１つの送受信ポイントから上記１つの送受信ポイントの物理セルＩＤと独立しアップリンクチャンネルと連携したアップリンク参照信号ＩＤを指示する端末−特定構成情報を受信する受信部と、上記アップリンク参照信号ＩＤを使用して上記アップリンク参照信号ＩＤが指示する送受信ポイントにアップリンクチャンネルを転送するアップリンクチャンネル転送部と、上記１つの送受信ポイントの物理セルＩＤを使用してアップリンクチャンネルと独立したサウンディング参照信号を生成する制御部と、上記生成されたサウンディング参照信号を上記１つの送受信ポイントに転送するサウンディング参照信号転送部とを含む。
【００１５】
上記サウンディング参照信号は、周期的サウンディング参照信号及び非周期的サウンディング参照信号の少なくとも１つを含むことができる。上記サウンディング参照信号生成部は、上記周期的サウンディング参照信号及び上記非周期的サウンディング参照信号の全てを上記１つの送受信ポイントの物理セルＩＤを使用して生成することができる。上記サウンディング参照信号転送部は、上記周期的サウンディング参照信号及び非周期的サウンディング参照信号の一方を上記物理セルＩＤが指示する上記１つの送受信ポイントに転送することができる。
【００１６】
上記サウンディング参照信号は、周期的サウンディング参照信号及び非周期的サウンディング参照信号の少なくとも１つを含むことができる。上記サウンディング参照信号生成部は、上記周期的サウンディング参照信号及び上記非周期的サウンディング参照信号の一方を、上記１つの送受信ポイントの物理セルＩＤを使用して生成し、他方のサウンディング参照信号を、アップリンク参照信号ＩＤを使用して生成することができる。上記サウンディング参照信号転送部は、上記周期的サウンディング参照信号及び非周期的サウンディング参照信号の一方を上記１つの送受信ポイントに転送し、他方のサウンディング参照信号を上記アップリンク参照信号ＩＤが指示する送受信ポイントに転送することができる。
【００１７】
上記アップリンクチャンネルは、物理アップリンク共有チャンネル及び物理アップリンク制御チャンネルの少なくとも１つでありうる。
【００１８】
上記受信部は、上記端末−特定構成情報に対する情報を端末−特定パラメータを通じて受信するか、またはＰＤＣＣＨまたはＥＰＤＣＣＨを通じて動的に受信することができる。
【００１９】
更に他の実施形態によれば、端末が提供される。端末は、互いに異なる２つ以上の送受信ポイントのうちの１つの送受信ポイントから、アップリンクチャンネルのためのアップリンク参照信号ＩＤと区分されて独立的に設定されたサウンディング参照信号ＩＤを指示する端末−特定構成情報を受信する受信部と、上記アップリンク参照信号ＩＤを使用して上記サウンディング参照信号を生成する制御部と、上記生成されたサウンディング参照信号を上記サウンディング参照信号ＩＤが指示する送受信ポイントに転送する転送部とを含む。
【００２０】
上記サウンディング参照信号は、周期的サウンディング参照信号及び非周期的サウンディング参照信号の少なくとも１つを含むことができる。上記サウンディング参照信号ＩＤを指示する端末−特定構成情報は、上記周期的サウンディング参照信号及び上記非周期的サウンディング参照信号に対して同一な参照信号ＩＤを指示することができる。
【００２１】
上記サウンディング参照信号は、周期的サウンディング参照信号及び非周期的サウンディング参照信号の少なくとも１つを含むことができる。上記サウンディング参照信号ＩＤを指示する端末−特定構成情報は、上記周期的サウンディング参照信号及び上記非周期的サウンディング参照信号に対して互いに異なる参照信号ＩＤを指示することができる。
【００２２】
上記サウンディング参照信号は、周期的サウンディング参照信号及び非周期的サウンディング参照信号の少なくとも１つを含むことができる。上記制御部は、上記周期的サウンディング参照信号及び上記非周期的サウンディング参照信号のうちの１つは上記サウンディング参照信号ＩＤを使用して生成し、他の１つは上記１つの送受信ポイントの物理セルＩＤを使用して生成することができる。上記転送部は、上記周期的サウンディング参照信号及び上記非周期的サウンディング参照信号のうちの１つは上記サウンディング参照信号ＩＤが指示する送受信ポイントに転送し、他の１つは上記１つの送受信ポイントに転送することができる。
【００２３】
上記アップリンクチャンネルは、物理アップリンク共有チャンネル及び物理アップリンク制御チャンネルの少なくとも１つでありうる。
【００２４】
上記受信部は、上記端末−特定構成情報を端末−特定パラメータを通じて受信するか、またはＰＤＣＣＨ及びＥＰＤＣＣＨの少なくとも１つを通じて動的に受信することができる。
【００２５】
更に他の実施形態によれば、端末（ＵＥ）におけるアップリンクサウンディング参照信号を転送するための方法が提供される。この方法は互いに異なる２つ以上の送受信ポイントのうちの１つの送受信ポイントから、上記１つの送受信ポイントの物理セルＩＤと独立したアップリンク参照信号ＩＤを指示する端末−特定構成情報を受信し、上記アップリンク参照信号ＩＤを使用してアップリンクチャンネルと連携したアップリンク参照信号を生成し、上記生成されたアップリンク参照信号を上記アップリンク参照信号ＩＤが指示する送受信ポイントに転送することを含む。
【００２６】
上記アップリンクチャンネルは、物理アップリンク共有チャンネル及び物理アップリンク制御チャンネルのうちの少なくとも１つでありうる。
【００２７】
上記アップリンク参照信号ＩＤは、アップリンク復調参照信号（Demodulation Reference Signal）の参照信号ＩＤであり、アップリンク参照信号はアップリンク復調参照信号（Demodulation Reference Signal）でありうる。
【００２８】
上記アップリンク参照信号ＩＤが指示する送受信ポイントは、上記１つの送受信ポイントと異なる送受信ポイントでありうる。
【００２９】
更に他の実施形態によれば、端末が提供される。端末は、互いに異なる２つ以上の送受信ポイントのうちの１つの送受信ポイントから上記１つの送受信ポイントの物理セルＩＤと独立したアップリンク参照信号ＩＤを指示する端末−特定構成情報を受信する受信部と、上記アップリンク参照信号ＩＤを使用してアップリンクチャンネルと連携されたアップリンク参照信号を生成する制御部と、上記生成されたアップリンク参照信号とアップリンクチャンネルを上記アップリンク参照信号ＩＤが指示する送受信ポイントに転送する転送部とを含む。
【００３０】
上記アップリンクチャンネルは、物理アップリンク共有チャンネル及び物理アップリンク制御チャンネルのうちの少なくとも１つでありうる。
【００３１】
上記アップリンク参照信号ＩＤはアップリンク復調参照信号（Demodulation Reference Signal）の参照信号ＩＤであり、アップリンク参照信号はアップリンク復調参照信号（Demodulation Reference Signal）でありうる。
【００３２】
上記アップリンク参照信号ＩＤが指示する送受信ポイントは、上記１つの送受信ポイントと異なる送受信ポイントでありうる。
【図面の簡単な説明】
【００３３】
【図１】実施形態が適用される無線通信システムの一例を図示する。
【図２】送受信ポイントが互いに異なるセルＩＤを使用するＣｏＭＰシナリオ及び異種ネットワーク（heterogeneous network）の環境で一般的なアップリンク／ダウンリンクデータ転送方法を図示する。
【図３】送受信ポイントが同一なセルＩＤを使用するＣｏＭＰシナリオの環境でアップリンク／ダウンリンクデータ転送方法を図示する。
【図４】第１実施形態に係るサウンディング参照信号（ＳＲＳ）転送方法のフローチャートである。
【図５】送受信ポイントが互いに異なるセルＩＤ（例えば、Ｃｅｌｌ ＩＤ ＃１、Ｃｅｌｌ ＩＤ ＃２）を使用するＣｏＭＰ環境における物理アップリンクチャンネルとサウンディング参照信号が独立的に転送される例を示す図である。
【図６】送受信ポイントが互いに同一なセルＩＤ（例えば、Ｃｅｌｌ ＩＤ ＃０）を使用するＣｏＭＰ環境における物理アップリンクチャンネルとサウンディング参照信号が独立的に転送される例を示す図である。
【図７】送受信ポイントが互いに異なるセルＩＤ（例えば、Ｃｅｌｌ ＩＤ ＃１、Ｃｅｌｌ ＩＤ ＃２、Ｃｅｌｌ ＩＤ ＃３）を使用するＣｏＭＰ環境における物理アップリンクチャンネルとサウンディング参照信号が独立的に転送されながら周期的サウンディング参照信号と非周期的サウンディング参照信号同士も独立的に転送される例を示す図である。
【図８】送受信ポイントが互いに同一なセルＩＤ（例えば、Ｃｅｌｌ ＩＤ ＃０）を使用するＣｏＭＰ環境における物理アップリンクチャンネルとサウンディング参照信号が独立的に転送されながら周期的サウンディング参照信号と非周期的サウンディング参照信号同士も独立的に転送される例を示す図である。
【図９】送受信ポイントが互いに異なるセルＩＤ（例えば、Ｃｅｌｌ ＩＤ ＃１、Ｃｅｌｌ ＩＤ ＃２）を使用するＣｏＭＰ環境における周期的サウンディング参照信号は、端末をサービングするサービング送受信ポイントに転送され、非周期的サウンディング参照信号は異なる送受信ポイントに転送される例を示すものである。
【図１０】送受信ポイントが互いに同一なセルＩＤ（例えば、Ｃｅｌｌ ＩＤ ＃０）を使用するＣｏＭＰ環境における周期的サウンディング参照信号は、端末をサービングするサービング送受信ポイントに転送され、非周期的サウンディング参照信号は物理アップリンクチャンネルとは独立的に異なる送受信ポイントに転送される例を示すものである。
【図１１】第２実施形態に係るサウンディング参照信号転送方法のフローチャートである。
【図１２】送受信ポイントが互いに異なるセルＩＤ（例えば、Ｃｅｌｌ ＩＤ ＃１、Ｃｅｌｌ ＩＤ ＃２）を使用するＣｏＭＰ環境におけるＰＵＣＣＨがサービング送受信ポイントでない送受信ポイントに転送されるとき、ＳＲＳがサービング送受信ポイントに転送される例を示す図である。
【図１３】送受信ポイントが互いに同一なセルＩＤ（例えば、Ｃｅｌｌ ＩＤ ＃０）を使用するＣｏＭＰ環境におけるＰＵＣＣＨがサービング送受信ポイントでない送受信ポイントに転送されるとき、ＳＲＳがサービング送受信ポイントに転送される例を示す図である。
【図１４】送受信ポイントが互いに異なるセルＩＤ（例えば、Ｃｅｌｌ ＩＤ ＃１、Ｃｅｌｌ ＩＤ ＃２）を使用するＣｏＭＰ環境におけるＰＵＳＣＨがサービング送受信ポイントでない送受信ポイントに転送されるとき、ＳＲＳがサービング送受信ポイントに転送される例を示す図である。
【図１５】送受信ポイントが互いに同一なセルＩＤ（例えば、Ｃｅｌｌ ＩＤ ＃０）を使用するＣｏＭＰ環境におけるＰＵＳＣＨがサービング送受信ポイントでない送受信ポイントに転送されるとき、ＳＲＳがサービング送受信ポイントに転送される例を示す図である。
【図１６】送受信ポイントが互いに異なるセルＩＤ（例えば、Ｃｅｌｌ ＩＤ ＃１、Ｃｅｌｌ ＩＤ ＃２）を使用するＣｏＭＰ環境におけるＰＵＳＣＨ及びＰＵＣＣＨがサービング送受信ポイントでない送受信ポイントに転送されるとき、ＳＲＳがサービング送受信ポイントに転送されることを示す図である。
【図１７】送受信ポイントが互いに同一なセルＩＤ（例えば、Ｃｅｌｌ ＩＤ ＃０）を使用するＣｏＭＰ環境におけるＰＵＳＣＨ及びＰＵＣＣＨがサービング送受信ポイントでない送受信ポイントに転送されるとき、ＳＲＳがサービング送受信ポイントに転送される例を示す図である。
【図１８】送受信ポイントが互いに異なるセルＩＤ（例えば、Ｃｅｌｌ ＩＤ ＃１、Ｃｅｌｌ ＩＤ ＃２）を使用するＣｏＭＰ環境におけるＰＵＣＣＨがサービング送受信ポイントでない送受信ポイントに転送されるとき、周期的ＳＲＳはサービング送受信ポイントに非周期的ＳＲＳはＰＵＣＣＨと連携されて転送される例を示す図である。
【図１９】送受信ポイントが互いに同一なセルＩＤ（例えば、Ｃｅｌｌ ＩＤ ＃０）を使用するＣｏＭＰ環境におけるＰＵＣＣＨがサービング送受信ポイントでない送受信ポイントに転送されるとき、周期的ＳＲＳはサービング送受信ポイントに、非周期的ＳＲＳはＰＵＣＣＨと連携されて転送される例を示す図である。
【図２０】図４で、アップリンクＳＲＳを転送する端末のブロック図である。
【図２１】ＳＲＳが転送されるシンボルの位置を図示している。
【図２２】周波数ホッピングしないＳＲＳと周波数ホッピングするＳＲＳを図示している。
【図２３】本発明の実施形態に係るアップリンク参照信号転送方法を示すフローチャートである。
【図２４】本発明の実施形態に係るＰＵＣＣＨと連携されたサウンディング参照信号転送方法のフローチャートである。
【図２５】送受信ポイントが互いに異なるセルＩＤ（例えば、Ｃｅｌｌ ＩＤ ＃１、Ｃｅｌｌ ＩＤ ＃２）を使用するＣｏＭＰ環境におけるアップリンク関連チャンネルの全てが端末が属した送受信ポイントと異なる送受信ポイントに転送される例を示す図である。
【図２６】送受信ポイントが同一なセルＩＤ（例えば、Ｃｅｌｌ ＩＤ ＃０）を使用するＣｏＭＰ環境におけるアップリンク関連チャンネルの全てが端末が属した送受信ポイントと異なる送受信ポイントに転送される例を示す図である。
【図２７】送受信ポイントが互いに異なるセルＩＤ（例えば、Ｃｅｌｌ ＩＤ ＃１、Ｃｅｌｌ ＩＤ ＃２）を使用するＣｏＭＰ環境におけるサウンディング参照信号とＰＵＣＣＨが連携されて転送される例を示す図である。
【図２８】送受信ポイントが同一なセルＩＤ（例えば、Ｃｅｌｌ ＩＤ ＃０）を使用するＣｏＭＰ環境におけるサウンディング参照信号とＰＵＣＣＨが連携されて転送される例を示す図である。
【図２９】送受信ポイントが互いに異なるセルＩＤ（例えば、Ｃｅｌｌ ＩＤ ＃１、Ｃｅｌｌ ＩＤ ＃２）を使用するＣｏＭＰ環境における非周期的サウンディング参照信号のみＰＵＣＣＨと連携されて転送される例を示す図である。
【図３０】送受信ポイントが同一なセルＩＤ（例えば、Ｃｅｌｌ ＩＤ ＃０）を使用するＣｏＭＰ環境における非周期的サウンディング参照信号のみＰＵＣＣＨと連携されて転送される例を示す図である。
【図３１】本発明の実施形態に係るＰＵＳＣＨと連携されたサウンディング参照信号転送方法のフローチャートである。
【図３２】送受信ポイントが互いに異なるセルＩＤ（例えば、Ｃｅｌｌ ＩＤ ＃１、Ｃｅｌｌ ＩＤ ＃２）を使用するＣｏＭＰ環境におけるサウンディング参照信号とＰＵＳＣＨが連携されて転送される例を示す図である。
【図３３】送受信ポイントが同一なセルＩＤ（例えば、Ｃｅｌｌ ＩＤ ＃０）を使用するＣｏＭＰ環境におけるサウンディング参照信号とＰＵＳＣＨが連携されて転送される例を示す図である。
【図３４】送受信ポイントが互いに異なるセルＩＤ（例えば、Ｃｅｌｌ ＩＤ ＃１、Ｃｅｌｌ ＩＤ ＃２）を使用するＣｏＭＰ環境における非周期的サウンディング参照信号のみＰＵＳＣＨと連携されて転送される例を示す図である。
【図３５】送受信ポイントが同一なセルＩＤ（例えば、Ｃｅｌｌ ＩＤ ＃０）を使用するＣｏＭＰ環境における非周期的サウンディング参照信号のみＰＵＳＣＨと連携されて転送される例を示す図である。
【図３６】他の少なくとも１つの実施形態に係る端末を示す図である。
【図３７】本発明の更に他の実施形態に係る端末を示す図である。
【図３８】少なくとも１つの実施形態に係る基地局の構成を示す図である。
【発明を実施するための形態】
【００３４】
以下、本発明の一部の実施形態を例示的な図面を通じて詳細に説明する。各図面の構成要素に参照符号を付加するに当たって、同一な構成要素に対してはたとえ他の図面上に表示されてもできる限り同一な符号を有するようにしていることに留意しなければならない。また、本発明を説明するに当たって、関連した公知構成または機能に対する具体的な説明が本発明の要旨を曖昧にすることがあると判断される場合にはその詳細な説明は省略する。
【００３５】
少なくとも１つの実施形態に係る無線通信システムは、音声、パケットデータなどの多様な通信サービスを提供するために広く配置される。無線通信システムは、ユーザ端末（User Equipment；ＵＥ）及び送受信ポイント（Transmission／Reception point）を含む。本明細書でのユーザ端末は無線通信での端末を意味する包括的概念であって、ＷＣＤＭＡ（Wideband Code Division Multiple Access）（登録商標）及びＬＴＥ（Long Term Evolution）、ＨＳＰＡ（High Speed Packet Access）などでのＵＥ（User Equipment）は勿論、ＧＳＭ（Global System for Mobilecommunications）（登録商標）でのＭＳ（Mobile Station）、ＵＴ（User Terminal）、ＳＳ（Subscriber Station）、無線機器（wireless device）などを全て含む概念として解釈されるべきである。
【００３６】
送受信ポイントは、一般的にユーザ端末と通信する地点（station）をいい、基地局（Base Station；ＢＳ）またはセル（cell）、ノード−Ｂ（Node-B）、ｅＮＢ（evolved Node-B）、セクタ（Sector）、サイト（Site）、ＢＴＳ（Base Transceiver System）、アクセスポイント（Access Point）、リレーノード（Relay Node）、ＲＲＨ（Remote Radio Head）、ＲＵ（Radio Unit）、アンテナなど、異なる用語として呼ばれることができる。
【００３７】
即ち、本明細書における送受信ポイント、基地局、またはセル（cell）は、ＣＤＭＡでのＢＳＣ（Base Station Controller）、ＷＣＤＭＡのＮｏｄｅＢ、ＬＴＥでのｅＮＢ、またはセクタ（サイト）などがカバーする一部の領域または機能を表す包括的な意味として解釈されなければならず、メガセル、マクロセル、マイクロセル、ピコセル、フェムトセル及びリレーノード（relay node）、ＲＲＨ（Remote Radio Head）、ＲＵ（Radio Unit）通信範囲など、多様なカバレッジ領域を全て包括する意味である。
【００３８】
本明細書におけるユーザ端末と送受信ポイントは、本明細書で記述される技術または技術的思想の具現に使われる２つ送受信主体で、包括的な意味で使われ、特定に称される用語または単語により限定されるものではない。ユーザ端末と送受信ポイントは、本発明で記述される技術または技術的思想の具現に使われる２つ（UplinkまたはDownlink）送受信主体で、包括的な意味で使われ、特定に称される用語または単語により限定されるものではない。ここで、アップリンク（Uplink；ＵＬ）はユーザ端末により基地局にデータを送受信する方式を意味し、ダウンリンク（Downlink；ＤＬ）は基地局によりユーザ端末にデータを送受信する方式を意味する。
【００３９】
無線通信システムに適用される多重接続技法には制限がない。ＣＤＭＡ（Code Division Multiple Access）、ＴＤＭＡ（Time Division Multiple Access）、ＦＤＭＡ（Frequency Division Multiple Access）、ＯＦＤＭＡ（Orthogonal Frequency Division Multiple Access）、ＯＦＤＭ−ＦＤＭＡ、ＯＦＤＭ−ＴＤＭＡ、ＯＦＤＭ−ＣＤＭＡのような多様な多重接続技法を使用することができる。本発明の一実施形態は、ＧＳＭ、ＷＣＤＭＡ、ＨＳＰＡを経てＬＴＥ及びＬＴＥ−advancedに進化する非同期無線通信と、ＣＤＭＡ、ＣＤＭＡ−２０００及びＵＭＢに進化する同期式無線通信分野などのリソース割当に適用できる。本発明は、特定の無線通信分野に限定または制限されて解釈されてはならず、本発明の思想が適用できる全ての技術分野を含むことと解釈されるべきである。
【００４０】
アップリンク転送及びダウンリンク転送の場合、ＴＤＤ（Time Division Duplex）方式及びＦＤＤ（Frequency Division Duplex）方式の少なくとも一方が使用される。ＴＤＤは互いに異なる時間を使用してアップリンク／ダウンリンク転送が実行される。ＦＤＤは、互いに異なる周波数を使用してアップリンク／ダウンリンク転送が実行される。
【００４１】
また、ＬＴＥ、ＬＴＥ−Ａのようなシステムでは１つのキャリアまたはキャリア対を基準にアップリンク及び／またはダウンリンクを構成して規格を構成する。アップリンク及び／またはダウンリンクは、ＰＤＣＣＨ（Physical Downlink Control CHannel）、ＰＣＦＩＣＨ（Physical Control Format Indicator CHannel）、ＰＨＩＣＨ（Physical Hybrid ARQ Indicator CHannel）、ＰＵＣＣＨ（Physical Uplink Control CHannel）などの制御チャンネルを介して制御情報を転送する。ＰＤＳＣＨ（Physical Downlink Shared CHannel）、ＰＵＳＣＨ（Physical Uplink Shared CHannel）などのデータチャンネルを介してデータを転送する。
【００４２】
本明細書において、セル（cell）は送受信ポイントから転送される信号のカバレッジまたは送受信ポイント（transmission pointまたはtransmission／reception point）から転送される信号のカバレッジを有するコンポーネントキャリア（component carrier）、その送受信ポイント自体を意味することができる。本明細書において、送受信ポイントは信号を送信する送信ポイント（transmission point）または信号を受信する受信ポイント（reception point）、これらの結合（transmission／reception point）を意味する。
【００４３】
図１は、実施形態が適用される無線通信システムの一例を図示する。
【００４４】
図１を参照すると、実施形態が適用される無線通信システム１００は、２つ以上の送受信ポイントが協力して信号を転送する多重ポイント協力型送受信システム（coordinated multi-point transmission／reception System；ＣｏＭＰシステム）または協力型多重アンテナ転送方式（coordinated multi-antenna transmission system）、協力型多重セル通信システムでありうる。ＣｏＭＰシステム１００は、少なくとも２つの送受信ポイント１１０、１１２と端末１２０、１２２を含むことができる。
【００４５】
送受信ポイントは、図に示すように、ｅＮＢ１１０およびＲＲＨ１１２の１つである。ｅＮＢ１１０は、基地局またはマクロセル（またはマクロノード）である。ＲＲＨ１１２は、ｅＮＢ１１０に光ケーブルまたは光ファイバーで接続されて有線制御少なくとも１つのピコセルである。ＲＲＨ１１２は、される高い転送パワーを有するか、またはマクロセル領域内の低い転送パワーを有する。ｅＮＢ１１０とＲＲＨ１１２は同一なセルＩＤを有することもでき、互いに異なるセルＩＤを有することもできる。
【００４６】
以下、ダウンリンク（downlink）は送受信ポイント１１０、１１２から端末１２０への通信または通信経路を意味し、アップリンク（uplink）は端末１２０から送受信ポイント１１０、１１２への通信または通信経路を意味する。ダウンリンクにおける送信機は送受信ポイント１１０、１１２の一部分、受信機は端末１２０、１２２の一部分でありうる。アップリンクにおける送信機は端末１２０の一部分、受信機は送受信ポイント１１０、１１２の一部分でありうる。
【００４７】
以下、ＰＵＣＣＨ、ＰＵＳＣＨ、ＰＤＣＣＨ、及びＰＤＳＣＨなどのチャンネルを介して信号が送受信される状況を“ＰＵＣＣＨ、ＰＵＳＣＨ、ＰＤＣＣＨ、及びＰＤＳＣＨを転送、受信する”という表現で記載することもある。
【００４８】
送受信ポイント（例えば、１１０、１１２）の１つであるｅＮＢ１１０は、端末１２０、１２２にダウンリンク転送を実行することができる。ｅＮＢ１１０は、ユニキャスト転送（unicast transmission）のための主物理チャンネルである物理ダウンリンク共有チャンネル（Physical Downlink Shared Channel；ＰＤＳＣＨ）を転送する。そして、ｅＮＢ１１０は、ＰＤＳＣＨの受信に必要とするスケジューリングなどのダウンリンク制御情報での転送のための、及びアップリンク共有チャンネル（例えば、物理アップリンク共有チャンネル（Physical Uplink Shared Channel；ＰＵＳＣＨ））での転送のためのスケジューリング承認情報を転送するための物理ダウンリンク制御チャンネル（Physical Downlink Control Channel；ＰＤＣＣＨ）を転送することができる。以下、各チャンネルを介して信号が送受信されることをチャンネルが送受信されるという表現で記載することもある。
【００４９】
第１端末１２０（ＵＥ１）は、ｅＮＢ １１０にアップリンク信号を転送することができる。第２端末１２２（ＵＥ２）は、送受信ポイント１１０、１１２のうちの１つであるＲＲＨ１１２にアップリンク信号を転送することができる。この際、第１端末１２０はＲＲＨ１１２にアップリンク信号を転送し、第２端末１２２はｅＮＢ１１０にアップリンク信号を転送することができる。また、端末の個数は２つ以上でありうる。但し、以下の実施形態で端末の個数は２つであり、１つの端末はｅＮＢ１１０に、他の端末はＲＲＨ１１２にアップリンク信号を転送するが、本発明はこれに限られない。
【００５０】
一方、現在の無線通信方式のうちの１つであるＬＴＥ通信システムでは、アップリンクに復調参照信号（Demodulation Reference Signal；ＤＭＲＳ、ＤＭ−ＲＳ）及びサウンディング参照信号（Sounding Reference Signal；ＳＲＳ）が定義されている。ダウンリンクに３種類の参照信号（Reference Signal；ＲＳ）が定義されている。３種類の参照信号（ＲＳ）は、セル固有参照信号（Cell-specific Reference Signal；ＣＲＳ）、ＭＢＳＦＮ参照信号（Multicast／Broadcast over Single Frequency Network Reference Signal；ＭＢＳＦＮ−ＲＳ）、及び端末固有参照信号（UE-specific Reference Signal）を含む。
【００５１】
無線通信システムにおける端末は、アップリンク（uplink）転送時、データチャンネルの復調のためのチャンネル情報を把握するためにアップリンク復調信号（ＵＬＤＭＲＳまたはＵＬ ＤＭ−ＲＳ）を毎スロット（slot）毎に転送するようになる。ＰＵＳＣＨ（Physical Uplink Shared CHannel）と連携されたアップリンクＤＭ−ＲＳの場合、毎スロット毎に１つのシンボルに対して参照信号を転送し、ＰＵＣＣＨ（Physical Uplink Control CHannel）と連携されたアップリンクＤＭ−ＲＳの場合、ＰＵＣＣＨのタイプによってＰＵＣＣＨフォーマット１／１ａ／１ｂの場合には毎スロット毎に３個のシンボル、あるいはＰＵＣＣＨフォーマット２／２ａ／２ｂ／３の場合には毎スロット毎に２つのシンボルに対して参照信号を転送するようになる。
【００５２】
図２は、送受信ポイントが互いに異なるセルＩＤを使用するＣｏＭＰシナリオ及び異種ネットワーク（heterogeneous network）の環境における一般的なアップリンク／ダウンリンクデータ転送方法を図示する。
【００５３】
図２を参照すると、少なくとも１つの実施形態が適用される無線通信システム１００は、ｅＮＢ１１０とＲＲＨ１１２が各々互いに異なるセルＩＤを有するＣｏＭＰシナリオ及び異種ネットワーク（heterogeneous network）を具現したＣｏＭＰシステムでありうる。
【００５４】
図３は、送受信ポイントが同一なセルＩＤを使用するＣｏＭＰシナリオの環境におけるアップリンク／ダウンリンクデータ転送方法を図示する。
【００５５】
図３を参照すると、少なくとも１つの実施形態が適用される無線通信システム１００は、ｅＮＢ１１０とＲＲＨ１１２ａ、１１２ｂ、１１２ｃ、１１２ｄ、１１２ｅ、１１２ｆが同一なセルＩＤを有するＣｏＭＰシナリオを具現したＣｏＭＰシステムでありうる。
【００５６】
図２及び図３に図示したＣｏＭＰシステムにおけるＰＵＳＣＨデータ復調のためのＤＭ−ＲＳの場合、端末は、端末が属する該当送受信ポイントから、参照信号の生成のためのパラメータを受信するこの参照信号生成のためのパラメータは、シーケンスグループナンバー、ベースシーケンスナンバー、サイクリックシフトインデックス、ＯＣＣ（orthogonal cover code）インデックス情報の少なくとも１つである。無線通信システム１００における端末によって転送された参照信号は、参照信号生成のためのパラメータに基づいて生成される。該当送受信ポイントは、サービング送受信ポイントに該当するｅＮＢ１１０である。この際、図面上で複数の端末を図示する場合、端末の図面番号を１２０ａ、１２０ｂ、１２０ｃなどに区分し、１つの端末のみを図示する場合、端末の図面番号を１２０と表示する。
【００５７】
あるオペレーション（オペレーション１）では、ｅＮＢ１１０は、ｅＮＢ１１０を識別可能なセルＩＤを端末に知らせ、ＲＲＣに設定されているシーケンスグループホッピングとシーケンスホッピングの構成によって、シーケンスグループナンバーとシーケンスナンバーを端末に知らせるようになっている。また、他のオペレーション（オペレーション２）では、ｅＮＢ１１０は、ダウンリンクを通じて転送するアップリンクグラントのためのＰＤＣＣＨを端末に知らせる。例えば、ｅＮＢ１１０は、ＤＣＩフォーマット０とＤＣＩフォーマット４を通じて端末１２０ａが転送しなければならない参照信号の生成のためのサイクリックシフトインデックス、ＯＣＣインデックスを知らせるようになる。オペレーション１及び２を通じて端末はアップリンクＤＭ−ＲＳを生成して任意のｅＮＢ１１０にアップリンクＤＭ−ＲＳとＰＵＳＣＨとを共に転送するようになる。
【００５８】
0005981644.tif 000002
【００５９】
さらに、周期的なＳＲＳと共に非周期的ＳＲＳが定義されている。非周期的ＳＲＳも周期的なＳＲＳと類似するように非周期的ＳＲＳ生成のために使われる各種パラメータがＲＲＣパラメータとして、ある送受信ポイントによって端末１２０ａに転送される。ここで、無線通信システム１００で定義されるように、端末が転送する非周期的ＳＲＳの生成のためのパラメータは、例えば非周期的ＳＲＳの端末−特定ＳＲＳ帯域、転送コム、周波数ドメイン位置、周期、サブフレーム構成、アンテナ構成、ベースシーケンスインデックス、サイクリックシフトインデックスなどを含む。
【００６０】
追加的に、端末１２０ａは非周期的ＳＲＳを転送するために、ある送受信ポイントはＰＤＣＣＨを介して端末１２０ａを動的にトリガリングする。端末１２０ａは、ＰＤＣＣＨによるトリガリングとＲＲＣパラメータを受信すると、アップリンク非周期的ＳＲＳを転送するようになる。
【００６１】
前述したアップリンク／ダウンリンクデータ転送方法によれば、ある送受信ポイントに属した端末が参照信号を転送すると、その送受信ポイントのみで端末１２０ａが転送する参照信号を受信できる。他の送受信ポイントでは該当端末１２０ａが転送する参照信号の生成のための情報を知ることができないので、その参照信号を受信することができない。ここで、”参照信号を受信する”という表現は、参照信号が干渉として受信されることを意味するものでなく、参照信号が所望の信号として受信されることを意味する。すなわち、この表現は、参照信号が、端末によって転送された参照信号の目的に合うように受信されることを意味する。
【００６２】
ある送受信ポイントからパラメータを受信すると、端末は、受信したパラメータに基づいて、アップリンクＤＭ−ＲＳ及び／または周期的／非周期的ＳＲＳのような参照信号を生成する。したがって、その端末が属した送受信ポイントからのダウンリンクと連携されたアップリンクへの転送のみ実行される。言い換えれば、端末は、ダウンリンクと連携されていないアップリンクへの転送は実行できない。
【００６３】
典型的に、ある送受信ポイントに属した端末１２０ａ（即ち、その送受信ポイントからダウンリンク制御チャンネルを受信した端末１２０ａ）が、異なる送受信ポイント（即ち、ある送受信ポイントとは異なる送受信ポイント）にアップリンクデータ転送を実行しない。ここで、異なる送受信ポイントは、アップリンクのチャンネル品質及び／またはジオメトリ（geometry）がより良いアップリンクチャンネルを提供する。
【００６４】
一方、少なくとも１つの実施形態において、異なる送受信ポイントへのアップリンク転送をサポートするための方法が提供される。この方法によれば、ある送受信ポイントに属した端末１２０ａ（即ち、その送受信ポイントからダウンリンク制御チャンネルを受信した端末１２０ａ）が、アップリンクのチャンネル品質及び／またはジオメトリ（geometry）がより良い、アップリンクチャンネルを提供する、異なる送受信ポイントにアップリンク転送を実行する。さらに、少なくとも１つの実施形態において、互いに異なる送受信ポイントに転送するチャンネルを区分するための方法及び装置を提供する。
【００６５】
0005981644.tif 000003
【００６６】
以下、本発明は、以下に示す２つの実施形態によって説明される。ｉ）第１実施形態は、ＰＵＣＣＨ、ＰＵＣＣＨに連携された参照信号シーケンス、ＰＵＳＣＨ、及びＰＵＳＣＨに連携された参照信号シーケンスから独立的にサウンディング参照信号シーケンスを生成することによって、サウンディング参照信号の受信対象（即ち、ターゲット送受信ポイント）を、ＰＵＣＣＨとＰＵＳＣＨの受信対象と独立的に設定する。ｉｉ）第２実施形態は、ＰＵＣＣＨとＰＵＳＣＨとの連携無しでサウンディング参照信号を、サービング送受信ポイントに転送する。
【００６７】
第１実施形態：独立設定
【００６８】
第１実施形態に係る非周期的ＳＲＳまたは周期的ＳＲＳの転送の場合、ＳＲＳ生成のためのシーケンスグループナンバー及びベースシーケンスナンバーは、サービングセルのセルＩＤに基づいたＰＵＣＣＨシーケンスグループナンバーまたはＰＵＳＣＨシーケンスナンバーから誘導されずに独立的に生成される。ＰＵＣＣＨ及びＰＵＳＣＨシーケンスとは独立的な（independent）シーケンスを生成するために、ＳＲＳ生成のためのシーケンスグループナンバー及びベースシーケンスナンバーは、ＳＲＳシーケンスを追加的にＲＲＣ構成パラメータに含めてもよい。一方、あるパラメータが、動的に転送されるＰＤＣＣＨまたはＲＲＣパラメータを通じて予め定義された場合、ＳＲＳ生成のためのシーケンスグループナンバー及びベースシーケンスナンバーは、ＰＤＣＣＨ／ＥＰＤＣＣＨを通じて予め定義されたパラメータを転送することによって、動的に指示されてもよい。
【００６９】
図４は、第１実施形態に係るサウンディング参照信号転送方法のフローチャートである。
【００７０】
図４を参照すると、前述した第１実施形態に係るサウンディング参照信号転送方法では、ステップＳ４１０において、端末１２０は互いに異なる２つ以上の送受信ポイント（例えば、ｅＮＢ１１０）のうちの１つの送受信ポイントから、サウンディング参照信号ＩＤを指示する端末−特定構成情報を受信する。ここで、サウンディング参照信号ＩＤは、アップリンクチャンネルのためのアップリンク参照信号ＩＤと区分されて独立的に設定される。ステップＳ４２０において、端末１２０は、独立的に設定されたサウンディング参照信号ＩＤを使用してサウンディング参照信号を生成する。ステップＳ４２５において、端末１２０は、物理アップリンクチャンネル転送をｅＮＢ１１０に実行する。一方、ステップＳ４３０において、端末１２０は、このように生成されたサウンディング参照信号を前述した独立的に設定されたサウンディング参照信号ＩＤが指示する送受信ポイント（例えば、ＲＲＨ１１２）に転送する。
【００７１】
図４に示すサウンディング参照信号転送方法によれば、アップリンクチャンネルのためのアップリンク参照信号ＩＤとサウンディング参照信号のためのアップリンク参照信号ＩＤが独立的に設定される。したがって、アップリンクチャンネルの受信対象（例えば、ｅＮＢ１１０）とサウンディング参照信号の受信対象（例えば、ＲＲＨ１１２）が異なることがある。
【００７２】
本明細書において、“独立的に”、“独立した”、または“独立的な”という表現は、サウンディング参照信号ＩＤが、他のアップリンク参照信号ＩＤ及び／または端末にサービングするサービング送受信ポイントの物理セルＩＤに対する連携無しで別々に定義されることを意味する。したがって、サウンディング参照信号ＩＤは、他のアップリンク参照信号ＩＤ及び／またはサービング送受信ポイントの物理セルＩＤと同一または相異することもできる。
【００７３】
即ち、本明細書で”サウンディング参照信号がアップリンクチャンネルと独立的に転送される”と表現されたということは、その受信対象が独立的に設定されたことを意味する。しかしながら、そのような表現は、転送タイミングが必ず互いに異ならなければならないという意味ではない。したがって、本明細書に記載されたサウンディング参照信号転送方法では、サウンディング参照信号が他のチャンネルが転送されない時に独立的に転送される。あるいはサウンディング参照信号とアップリンクチャンネルの全部または一部が１つのサブフレームで同時に転送されることもできる。
【００７４】
サウンディング参照信号転送方法において、アップリンクチャンネルは物理アップリンク共有チャンネル（以下、ＰＵＳＣＨ）及び物理アップリンク制御チャンネル（以下、ＰＵＣＣＨ）のうち、少なくとも１つでありうる。また、サウンディング参照信号は周期的サウンディング参照信号（periodic SRS）及び非周期的サウンディング参照信号（aperiodic SRS）のうち、少なくとも１つでありうる。
【００７５】
以下、図４に示す前述した第１実施形態に係るサウンディング参照信号転送方法によりサウンディング参照信号が転送される多様な場合を図５から図１０を参照して説明する。
【００７６】
図５は、送受信ポイントが互いに異なるセルＩＤ（例えば、Ｃｅｌｌ ＩＤ ＃１、Ｃｅｌｌ ＩＤ ＃２）を使用するＣｏＭＰ環境における物理アップリンクチャンネルとサウンディング参照信号が独立的に転送される例を示す図である。
【００７７】
図６は、送受信ポイントが互いに同一なセルＩＤ（例えば、Ｃｅｌｌ ＩＤ ＃０）を使用するＣｏＭＰ環境における物理アップリンクチャンネルとサウンディング参照信号が独立的に転送される例を示す図である。
【００７８】
図５及び図６を参照すると、サウンディング参照信号の信号生成のためのＩＤが物理アップリンク参照信号のためのＩＤと区分されて独立的に設定されることによって物理アップリンクチャンネルとサウンディング参照信号の受信対象が独立的に設定されて互いに異なる対象に転送できるようになる。この場合、図面に図示してはいないが、必ずサウンディング参照信号の受信対象と物理アップリンクチャンネルの受信対象が変わらなくてはならないものではなく、２つの受信対象が同一になることもできる。即ち、各受信対象が独立的に設定されれば足りる。
【００７９】
図５及び図６に示すサウンディング参照信号転送方式によれば、ＰＵＣＣＨ及びＰＵＳＣＨに関連したＤＭ−ＲＳと区分されて独立的にＳＲＳに対するシーケンス設定を可能にすることによって、サービング送受信ポイント及び異なる送受信ポイントのアップリンクチャンネル品質測定及びチャンネル可逆性を用いるＴＤＤシステムではサービング送受信ポイント及び異なる送受信ポイントのダウンリンクに対する品質測定を独立的に実行することができる。また、ＳＲＳを用いた端末の位置把握や端末のジオメトリ（geometry）を把握するようにすることによって、端末がセル境界あるいはセル中央に位置するに従うダウンリンク転送時の端末特定ダウンリンク転送方法を使用するようにすることによって、ダウンリンクに対するデータ処理量の改善にも使用できる。
【００８０】
図５及び図６では、周期的サウンディング参照信号と非周期的サウンディング参照信号の受信対象が同一に設定されている。即ち、サウンディング参照信号ＩＤを指示する端末−特定パラメータが周期的サウンディング参照信号と非周期的サウンディング参照信号に対して同一な参照信号ＩＤを指示することを特徴としている。
【００８１】
この際、図５及び図６の図示とは異なり、周期的サウンディング参照信号の生成のためのサウンディング参照信号ＩＤと非周期的サウンディング参照信号の生成のためのサウンディング参照信号ＩＤが互いに独立的でありうる。
【００８２】
図７は、送受信ポイントが互いに異なるセルＩＤ（例えば、Ｃｅｌｌ ＩＤ ＃１、Ｃｅｌｌ ＩＤ ＃２、Ｃｅｌｌ ＩＤ ＃３）を使用するＣｏＭＰ環境における物理アップリンクチャンネルとサウンディング参照信号が独立的に転送されながら周期的サウンディング参照信号と非周期的サウンディング参照信号も互いに独立的に転送されることを示す図である。
【００８３】
図８は、送受信ポイントが互いに同一なセルＩＤ（例えば、Ｃｅｌｌ ＩＤ ＃０）を使用するＣｏＭＰ環境における物理アップリンクチャンネルとサウンディング参照信号が独立的に転送されながら周期的サウンディング参照信号と非周期的サウンディング参照信号も互いに独立的に転送されることを示す図である。
【００８４】
図７及び図８を参照すると、サウンディング参照信号を指示する端末−特定構成情報は、周期的サウンディング参照信号と非周期的サウンディング参照信号に対して互いに異なる参照信号ＩＤを指示することができる。したがって、サウンディング参照信号がＰＵＣＣＨ及びＰＵＳＣＨと独立的に転送されると共に、周期的サウンディング参照信号と非周期的サウンディング参照信号の転送も独立的になされるようになる。この際、図７及び図８では周期的サウンディング参照信号の受信対象（例えば、１１２ｂまたは１１０）と非周期的サウンディング参照信号の受信対象（例えば、１１２ａ）が異なる場合のみを図示したが、各受信対象が独立的に設定され、２つの受信対象が互いに同一に設定されることもできる。
【００８５】
図７及び図８に示すサウンディング参照信号転送方式によれば、ＰＵＣＣＨ及びＰＵＳＣＨに関連したＤＭ−ＲＳと区分されて独立的にサウンディング参照信号に対するシーケンス設定を可能にし、周期的サウンディング参照信号と非周期的サウンディング参照信号に対しても独立的なシーケンスを設定できるようにすることによって、サービング送受信ポイント及び異なる送受信ポイントに対するアップリンクチャンネル品質測定及びチャンネル可逆性を用いるＴＤＤシステムではサービング送受信ポイント及び異なる送受信ポイントのダウンリンクに対するチャンネル品質測定を独立的に実行することができる。
【００８６】
また、サウンディング参照信号を用いた端末の位置把握や端末のジオメトリ（geometry）を把握するようにすることによって、端末がセル境界あるいはセル中央に位置するに従うダウンリンク転送時の端末特定ダウンリンク転送方法を使用するようにすることによって、ダウンリンクに対するデータ処理量の改善にも使用できる。
【００８７】
図９は、送受信ポイントが互いに異なるセルＩＤ（例えば、Ｃｅｌｌ ＩＤ ＃１、Ｃｅｌｌ ＩＤ ＃２）を使用するＣｏＭＰ環境における周期的サウンディング参照信号は端末をサービングするサービング送受信ポイントに転送され、非周期的サウンディング参照信号は異なる送受信ポイントに転送される例を示すものである。
【００８８】
図１０は、送受信ポイントが互いに同一なセルＩＤ（例えば、Ｃｅｌｌ ＩＤ ＃０）を使用するＣｏＭＰ環境における周期的サウンディング参照信号は端末をサービングするサービング送受信ポイントに転送され、非周期的サウンディング参照信号は物理アップリンクチャンネルとは独立的に異なる送受信ポイントに転送される例を示すものである。
【００８９】
図９及び図１０に図示してはいないが、非周期的サウンディング参照信号に対しては端末にサービングしているサービング送受信ポイントを通じて転送するようにし、周期的サウンディング参照信号に対しては物理アップリンクチャンネルとは独立的に他の送受信ポイントに転送されることもできる。
【００９０】
図４、図９、及び図１０を参照すると、図４のサウンディング参照信号生成ステップ（Ｓ４２０）は、周期的及び非周期的サウンディング参照信号のうちの１つは物理アップリンクチャンネルのためのＩＤと区分されて独立的に設定されたサウンディング参照信号ＩＤを使用して生成し、他の１つは端末にサービングするサービング送受信ポイントのセルＩＤを使用して生成することができる。また、サウンディング参照信号転送ステップ（Ｓ４３０）は、周期的及び非周期的サウンディング参照信号のうちの１つはサウンディング参照信号ＩＤが指示する送受信ポイントに転送し、他の１つはサービング送受信ポイントに転送するようになる。
【００９１】
即ち、図９及び図１０に図示した実施形態によれば、周期的及び非周期的サウンディング参照信号のうちの１つは物理アップリンクチャンネルと独立的に転送され、他の１つはサービング送受信ポイントに転送されるようになる。勿論、独立的に転送されるサウンディング参照信号の受信対象も物理アップリンクチャンネルの受信対象と同一になることもでき、サービング送受信ポイントに転送されることもできる。
【００９２】
また、図４を参照すると、サウンディング参照信号ＩＤを指示する端末−特定パラメータを受信するステップ（Ｓ４１０）において、サウンディング参照信号ＩＤは物理アップリンクチャンネルのためのアップリンク参照信号ＩＤと区分されて独立的に設定される。この際、物理アップリンクチャンネルのためのアップリンク参照信号ＩＤはアップリンク復調参照信号（Demodulation Reference Signal：ＵＬ  ＤＭＲＳ  または  ＵＬ  ＤＭ−ＲＳ）の参照信号ＩＤでありうる。
【００９３】
0005981644.tif 000004
【００９４】
0005981644.tif 000005
【００９５】
0005981644.tif 000006
【００９６】
端末１２０は、このベースシーケンスとサイクリックシフト、直交コード（または、直交カバーコード）により生成されたＤＭ−ＲＳを割り当てられた無線リソースに割り当てて参照信号ＩＤが指示する送受信ポイント、例えばＲＲＨ１１２に転送する。アップリンクＤＭ−ＲＳの場合、端末１２０は毎スロット毎に最大３個のシンボルに対してアップリンクＤＭ−ＲＳを転送するようになる。
【００９７】
併せて、端末１２０はＰＵＣＣＨとＰＵＳＣＨに対して各々と連携されたアップリンクＤＭ−ＲＳに対して割り当てられた帯域と同一な周波数帯域にＰＵＣＣＨとＰＵＳＣＨを転送する。送受信ポイントのうち、ＤＭ−ＲＳを受信することができる送受信ポイントであるＲＲＨ１１２のみが受信したＤＭ−ＲＳを使用してＰＵＣＣＨとＰＵＳＣＨを受信できるようになる。
【００９８】
0005981644.tif 000007
【００９９】
0005981644.tif 000008
【０１００】
0005981644.tif 000009
【０１０１】
0005981644.tif 000010
【０１０２】
【数１】
0005981644.tif 000011
【０１０３】
【数２】
0005981644.tif 000012
【０１０４】
0005981644.tif 000013
【０１０５】
0005981644.tif 000014
【０１０６】
シーケンスグループホッピング（sequence Group hopping）は、端末に割り当てられるＲＢの数に関わらず、３０個のシーケンスグループをスロット毎にホッピングする。
【０１０７】
0005981644.tif 000015
【０１０８】
【数３】
0005981644.tif 000016
【０１０９】
0005981644.tif 000017
【０１１０】
0005981644.tif 000018
【０１１１】
【数４】
0005981644.tif 000019
【０１１２】
0005981644.tif 000020
【０１１３】
0005981644.tif 000021
【０１１４】
0005981644.tif 000022
【０１１５】
0005981644.tif 000023
【０１１６】
【数５】
0005981644.tif 000024
【０１１７】
0005981644.tif 000025
【０１１８】
0005981644.tif 000026
【０１１９】
【数６】
0005981644.tif 000027
【０１２０】
0005981644.tif 000028
【０１２１】
0005981644.tif 000029
【０１２２】
アップリンク参照信号ＩＤを指示する端末−特定パラメータは、周期的サウンディング参照信号と非周期的サウンディング参照信号に対して同一な参照信号ＩＤを指示することができる。
【０１２３】
この場合、周期的ＳＲＳと非周期的ＳＲＳシーケンスのシーケンスグループナンバー及びベースシーケンスナンバーを同一に設定するが、ＰＵＣＣＨ及びＰＵＳＣＨのシーケンスグループナンバー及びベースシーケンスナンバーとは独立的に設定できる。
【０１２４】
言い換えると、ＰＵＣＣＨ及びＰＵＳＣＨと独立的にＳＲＳに対するシーケンス設定を可能にすることで、サービング送受信ポイント及び異なる送受信ポイントのアップリンクチャンネル品質測定及びチャンネル可逆性を用いるＴＤＤシステムでは、サービング送受信ポイント及び異なる送受信ポイントのダウンリンクに対する品質測定を独立的に実行することができる。また、ＳＲＳを用いた端末の位置把握や端末のジオメトリ（geometry）を把握するようにすることによって、端末がセル境界あるいはセル中央に位置するに従うダウンリンク転送時の端末特定ダウンリンク転送方法を使用するようにすることによって、ダウンリンクに対するデータ処理量の改善にも使用できる。
【０１２５】
一方、周期的ＳＲＳで使用するシーケンスグループナンバー及びベースシーケンスナンバーと非周期的ＳＲＳに使用するシーケンスグループナンバー及びベースシーケンスナンバーを独立的にＲＲＣパラメータを通じて割り当てるか、動的に転送されるＰＤＣＣＨに該当シーケンスナンバーに対する指示（indication）を含むか、またはＲＲＣパラメータを通じて予め定義されたＲＲＣパラメータの１ビットを用いて動的に指示することもできる。
【０１２６】
これは、先に該当ＳＲＳがＰＵＣＣＨ及びＰＵＳＣＨとは独立的なシーケンスが生成できるように設定するようにし、追加的に端末のサービング送受信ポイント及び異なる送受信ポイント転送において基地局のスケジューリングに対する柔軟性（flexibility）を与えることができる。
【０１２７】
これを通じて周期的ＳＲＳと非周期的ＳＲＳ転送に対してサービング送受信ポイントへの転送とサービング送受信ポイントとは異なる送受信ポイントへの転送を独立的に可能に設定することができる。
【０１２８】
また、サウンディング参照信号転送方法において、サウンディング参照信号ＩＤを指示する端末−特定パラメータは、周期的サウンディング参照信号と非周期的サウンディング参照信号に対して互いに異なる参照信号ＩＤを指示することもできる。
【０１２９】
この場合、周期的なＳＲＳと非周期的なＳＲＳシーケンスのシーケンスグループナンバー及びベースシーケンスナンバーを独立的に設定し、ＰＵＣＣＨ及びＰＵＳＣＨのシーケンスグループナンバー及びベースシーケンスナンバーとも独立的に設定できる。
【０１３０】
0005981644.tif 000030
【０１３１】
言い換えると、ＰＵＣＣＨ及びＰＵＳＣＨから独立的にＳＲＳに対するシーケンス設定を可能にし、周期的ＳＲＳと非周期的ＳＲＳに対しても互いに独立的なシーケンスを設定できるようにすることで、サービング送受信ポイント及び異なる送受信ポイントに対するアップリンクチャンネル品質測定及びチャンネル可逆性を用いるＴＤＤシステムではサービング送受信ポイント及び異なる送受信ポイントのダウンリンクに対するチャンネル品質測定を独立的に実行することができる。
【０１３２】
また、ＳＲＳを用いた端末の位置把握や端末のジオメトリ（geometry）を把握するようにすることで、端末がセル境界あるいはセル中央に位置するに従うダウンリンク転送時の端末特定ダウンリンク転送方法を使用するようにすることによって、ダウンリンクに対するデータ処理量の改善にも使用できる。
【０１３３】
図２１は、ＳＲＳが転送されるシンボルの位置を図示している。図２２は、周波数ホッピングしないＳＲＳと周波数ホッピングするＳＲＳを図示している。
【０１３４】
図２１及び図２２を参照すると、ＳＲＳはサブフレームの最後のシンボルに転送される。周波数領域上でＳＲＳ転送は周波数領域スケジューリングのために関心のある周波数帯域をカバーしなければならない。図２２の（ａ）に示すように、単一ＳＲＳ転送で関心のある全体周波数帯域に対するチャンネル品質を推定できるように十分に広いＳＲＳ転送を行なうことができる。一方、図２２の（ｂ）に示すように、狭帯域のＳＲＳを周波数領域でホッピングしながら転送することによって、このようなＳＲＳ転送が合わせられて関心のある全体周波数帯域をカバーするようにすることもできる。
【０１３５】
前述したように、ＳＲＳをリソース要素にマッピングが完了すれば、ＳＣ ＦＤＭＡ生成器（SC FDMA generator；図２０に図示せず）を通じてＳＣ−ＦＤＭＡシンボルを生成してＳＲＳ信号を送受信ポイントに転送する。
【０１３６】
0005981644.tif 000031
【０１３７】
【表１】
0005981644.tif 000032
【０１３８】
【表２】
0005981644.tif 000033
【０１３９】
0005981644.tif 000034
【０１４０】
0005981644.tif 000035
【０１４１】
次の＜表３＞（ＦＤＤ）及び＜表４＞（ＴＤＤ）は各端末別に定義される周期的ＳＲＳの特定周期及びオフセットを表す表である。
【０１４２】
【表３】
0005981644.tif 000036
【０１４３】
【表４】
0005981644.tif 000037
【０１４４】
0005981644.tif 000038
【０１４５】
また、ＳＲＳが転送されるリソースブロック（resource block；ＲＢ）に対する情報がシグナリングできる。先に、セル−特定使用リソースブロックの個数をシグナリングし（この際、使われるリソースブロックは全体システム帯域幅（bandwidth；ＢＷ）に該当するリソースブロックのうち、シグナリングされる個数に該当する特定リソースブロックである。例えば、システム帯域幅が５０リソースブロックであり、シグナリングされるリソースブロック個数が４８であれば、全体５０個のリソースブロックのうち、４８個のリソースブロックを使用するものである。）、セル−特定使用リソースブロックのうち、各端末別使用リソースブロックの個数と位置がシグナリングされる。
【０１４６】
例えば、＜表５＞はシステム帯域幅が４０から６０リソースブロックである時に使われる表である。
【０１４７】
0005981644.tif 000039
【０１４８】
【表５】
0005981644.tif 000040
【０１４９】
0005981644.tif 000041
【０１５０】
0005981644.tif 000042
【０１５１】
【表６】
0005981644.tif 000043
【０１５２】
一方、＜表１＞または＜表２＞に決定されるセル−特定ＳＲＳ転送可能サブフレームのうち、ＳＲＳが非周期的に設定される特定サブフレームで転送されることができ、これを非周期的ＳＲＳまたはトリガータイプ１ ＳＲＳと呼ぶことができる。
【０１５３】
このような場合、ＳＲＳは＜表１＞または＜表２＞で設定されたセル−特定ＳＲＳ転送可能サブフレームのうち、次の＜表７＞（ＦＤＤ）または＜表８＞（ＴＤＤ）のように端末別に定義される特定周期及びオフセットを有し、非周期的に特定該当サブフレームで転送される。ここで、非周期的に転送されるということは、幾つかの構成可能な場合を予め指定しておき、必要に応じてＤＣＩのような動的シグナリング（dynamic signaling）を通じてＳＲＳ転送をトリガリングすることを意味する。前述したように、周期的（トリガータイプ０）ＳＲＳの場合、ＳＲＳ転送のためのシグナリング情報は、上位階層シグナリングによって直接転送される。ここで、ＳＲＳ転送のためのシグナリング情報は、ｉ）ＳＲＳ転送サブフレームに対する情報、ｉｉ）ＳＲＳ転送リソースブロックに対する情報、ｉｉｉ）ＳＲＳ割当サブキャリアに対する情報、ｉｖ）ＳＲＳシーケンス生成時に使われるサイクリックシフト値に対する情報、ｖ）ＳＲＳ転送アンテナ個数に対する情報の少なくとも１つを含む。一方、非周期的（トリガータイプ１）ＳＲＳの場合、ＳＲＳ転送のためのシグナリング情報のいくつかは、端末に直接転送されない。しかし、ＳＲＳ転送のためのシグナリング情報のいくつかに連携されたＳＲＳパラメータセットは、上位階層シグナリング（例えば、ＲＲＣシグナリング）を通じて予め指定される。したがって、ＳＲＳ転送が必要な場合のみに、予め指定されたＳＲＳパラメータセットを指示する値のみがＤＣＩのような動的シグナリングで転送される。
【０１５４】
【表７】
0005981644.tif 000044
【０１５５】
【表８】
0005981644.tif 000045
【０１５６】
0005981644.tif 000046
【０１５７】
【表９】
0005981644.tif 000047
【０１５８】
ＤＣＩフォーマット０の場合、非周期的ＳＲＳをトリガリングする信号は１ビットであり、これを通じて転送される値は次の＜表１０＞の通りである。ＤＣＩフォーマット４の場合、非周期的ＳＲＳをトリガリングする信号は２ビットであり、これを通じて転送される値は次の＜表１１＞の通りである。
【０１５９】
【表１０】
0005981644.tif 000048
【０１６０】
【表１１】
0005981644.tif 000049
【０１６１】
例えば、ＤＣＩフォーマット４の場合、ＳＲＳ要請フィールドの値が‘００’であれば、非周期的ＳＲＳまたはタイプ１ ＳＲＳが転送されず、ＳＲＳ要請フィールドの値が‘０１’、‘１０’、または‘１１’であれば、上位階層シグナリング（ＲＲＣシグナリング）を通じて設定されたパラメータセットのうちの１つによるパラメータによって非周期的ＳＲＳまたはタイプ１ ＳＲＳが転送される。
【０１６２】
前述した第１実施形態に係るＳＲＳ転送方法によれば、独立的な周期的及び非周期的ＳＲＳ転送を通じてサービング送受信ポイントでない異なる送受信ポイントとのアップリンクチャンネル状態の測定を可能にすることで、アップリンクのカバレッジ短所（coverage shortage）を克服することができる。
【０１６３】
また、サービング送受信ポイント及び異なる送受信ポイントに対するアップリンクチャンネル品質測定及びチャンネル可逆性を用いるＴＤＤシステムでは、サービング送受信ポイント及び異なる送受信ポイントのダウンリンクに対するチャンネル品質測定を独立的に実行することができる。また、ＳＲＳを用いた端末の位置把握や端末のジオメトリ（geometry）を把握するようにすることによって、端末がセル境界あるいはセル中央に位置するに従うダウンリンク転送時の端末−特定ダウンリンク転送方法を使用するようにすることによって、ダウンリンクに対するデータ処理量（data throughput）の改善にも使用できる。
【０１６４】
該当ＳＲＳに対するシーケンスの設定によって端末がダウンリンク制御チャンネル、即ちＰＤＣＣＨのブラインドデコーディング（blind decoding）時に該当アップリンクグラントを検索（detection）するための端末の手続きは次の通りである。
【０１６５】
ＰＤＣＣＨに関連ベースシーケンスナンバーに対する指示（indication）を含める場合、及びＲＲＣを通じて予め定義されたＲＲＣパラメータ（１ビット長を有するパラメータ）を用いて動的に指示を実行する場合に、端末はＰＤＣＣＨに対する検索時に共通検索空間（UE common search space）でない端末−特定検索空間（UE dedicated search space）で該当端末に対するアップリンクスケジューリング情報を含んでいるアップリンクグラントであるＤＣＩフォーマット０及びＤＣＩフォーマット４を探すように端末の動作を実行することができる。したがって、端末は連携動作の実行時に常に端末−特定検索空間で関連アップリンクスケジューリング情報を含んでいるアップリンクグラントを検索するように設定することができる。
【０１６６】
第２実施形態：連携解除
【０１６７】
第２実施形態に係るサウンディング参照信号の転送方法は、参照信号ＩＤを通じて物理アップリンクチャンネルを生成しながらも、サウンディング参照信号の生成はサービング送受信ポイントの物理セルＩＤを用いて生成する方法である。
【０１６８】
第２実施形態によれば、非周期的及び周期的サウンディング参照信号の少なくとも１つはＰＵＣＣＨまたはＰＵＳＣＨのシーケンス設定に従わないようにＰＵＣＣＨまたはＰＵＳＣＨと連携されていなくてもよい。そのため、非周期的及び周期的サウンディング参照信号の少なくとも１つの受信対象がサービング送受信ポイントとして設定されるようになる。一方、ＰＵＳＣＨまたはＰＵＣＣＨに対する受信ポイントがサービング送受信ポイント（例えば、ダウンリンク送信主体）でない異なる送受信ポイントとして設定されてもよい。言い換えると、ＰＵＳＣＨまたはＰＵＣＣＨ参照信号転送のためのシーケンス生成のとき、端末−特定ＰＵＳＣＨまたはＰＵＣＣＨ参照信号シーケンスの設定を通じて異なる送受信ポイント（例えば、サービング送受信ポイントでない異なる送受信ポイント）として、該当受信対象が設定される。したがって、ＰＵＳＣＨまたはＰＵＣＣＨの受信対象とサウンディング参照信号の受信対象が分離されて、ＰＵＳＣＨまたはＰＵＣＣＨの転送とＳＲＳ転送とが個別的に実行される。
【０１６９】
図１１は、第２実施形態に係るサウンディング参照信号転送方法のフローチャートである。
【０１７０】
図１１を参照すると、第２実施形態に係るサウンディング参照信号転送方法は、ステップＳ１１１０において、互いに異なる２つ以上の送受信ポイントのうち、１つの送受信ポイント（例えば、ｅＮＢ１１０）からアップリンク参照信号ＩＤを指示する端末−特定構成情報を端末１２０が受信する。ここで、アップリンク参照信号ＩＤは、１つの送受信ポイント（例えば、ｅＮＢ１１０）の物理セルＩＤと独立し、アップリンクチャンネルと連携されている。ステップＳ１１２０において、前述した１つの送受信ポイント、即ち端末１２０をサービングする送受信ポイントの物理セルＩＤを用いてサウンディング参照信号を端末１２０が生成する。ステップＳ１１３０において、端末１２０は、このようなアップリンク参照信号ＩＤを使用してアップリンクチャンネル及び関連する参照信号（例えば、アップリンクチャンネルと連携する該当復調参照信号（ＤＭ−ＲＳ））を転送する。特に、端末１２０は、アップリンク参照信号ＩＤが指示する送受信ポイント（例えば、ＲＲＨ１１２）に転送する。ステップＳ１１４０において、端末１２０は、Ｓ１１２０で生成されたサウンディング参照信号を前述した１つの送受信ポイント、例えば即ちサービング送受信ポイント（例えば、ｅＮＢ１１０）に転送する。
【０１７１】
この際、サウンディング参照信号は、周期的及び非周期的サウンディング参照信号のうち、少なくとも１つを含むことができる。また、アップリンクチャンネルはＰＵＣＣＨ及びＰＵＳＣＨのうち、少なくとも１つを含むことができる。
【０１７２】
また、ステップＳ１１３０で転送されるアップリンクチャンネルの受信対象が端末１２０にサービングする送受信ポイント１１０と異なる送受信ポイント１１２に設定されているが、これはアップリンクチャンネルの受信対象が前述したアップリンク参照信号ＩＤにより独立的に設定できるということを意味するだけであり、端末１２０にサービングする送受信ポイント１１０が受信対象となることを排除するものではない。
【０１７３】
また、図１１を参照して説明したサウンディング参照信号転送方法において、サウンディング参照信号は他のチャンネルが転送されないとき、独立的に転送されるか、あるいはサウンディング参照信号とＰＵＣＣＨ及びＰＵＳＣＨのうち、少なくとも１つ以上と共に１つのサブフレームで同時に転送されることもできる。
【０１７４】
前述したように、サウンディング参照信号は周期的及び非周期的サウンディング参照信号のうちの少なくとも１つを含み、アップリンクチャンネルはＰＵＣＣＨ及びＰＵＳＣＨのうちの少なくとも１つ以上を含むところ、図１１によるサウンディング参照信号転送方法によるとき、サウンディング参照信号の転送に多様な実施形態がありうる。
【０１７５】
以下、図１１に示すサウンディング参照信号転送方法によりサウンディング参照信号が転送される例に関して図１２から図１９を参照して説明する。
【０１７６】
図１２は、送受信ポイントが互いに異なるセルＩＤ（例えば、Ｃｅｌｌ ＩＤ ＃１、Ｃｅｌｌ ＩＤ ＃２）を使用するＣｏＭＰ環境におけるＰＵＣＣＨがサービング送受信ポイントでない送受信ポイントに転送されるとき、ＳＲＳがサービング送受信ポイントに転送されることを示す図である。
【０１７７】
図１３は、送受信ポイントが互いに同一なセルＩＤ（例えば、Ｃｅｌｌ ＩＤ ＃０）を使用するＣｏＭＰ環境におけるＰＵＣＣＨがサービング送受信ポイントでない送受信ポイントに転送されるとき、ＳＲＳがサービング送受信ポイントに転送されることを示す図である。
【０１７８】
図１２及び図１３を参照すると、ＰＵＣＣＨのＤＭ−ＲＳ ＩＤがサービング送受信ポイントと異なる送受信ポイントに設定された場合、サウンディング参照信号がサービング送受信ポイントに転送されるようになって、サウンディング参照信号とＰＵＣＣＨが分離されて転送されるようになる。
【０１７９】
図１４は、送受信ポイントが互いに異なるセルＩＤ（例えば、Ｃｅｌｌ ＩＤ ＃１、Ｃｅｌｌ ＩＤ ＃２）を使用するＣｏＭＰ環境におけるＰＵＳＣＨがサービング送受信ポイントでない送受信ポイントに転送されるとき、ＳＲＳがサービング送受信ポイントに転送されることを示す図である。
【０１８０】
図１５は、送受信ポイントが互いに同一なセルＩＤ（例えば、Ｃｅｌｌ ＩＤ ＃０）を使用するＣｏＭＰ環境におけるＰＵＳＣＨがサービング送受信ポイントでない送受信ポイントに転送されるとき、ＳＲＳがサービング送受信ポイントに転送されることを示す図である。
【０１８１】
図１４及び図１５を参照すると、ＰＵＳＣＨのＤＭ−ＲＳ ＩＤがサービング送受信ポイントと異なる送受信ポイントに設定された場合、サウンディング参照信号がサービング送受信ポイントに転送されるようになって、サウンディング参照信号とＰＵＳＣＨが分離されて転送されるようになる。
【０１８２】
図１６は、送受信ポイントが互いに異なるセルＩＤ（例えば、Ｃｅｌｌ ＩＤ ＃１、Ｃｅｌｌ ＩＤ ＃２）を使用するＣｏＭＰ環境におけるＰＵＳＣＨ及びＰＵＣＣＨがサービング送受信ポイントでない送受信ポイントに転送されるとき、ＳＲＳがサービング送受信ポイントに転送されることを示す図である。
【０１８３】
図１７は、送受信ポイントが互いに同一なセルＩＤ（例えば、Ｃｅｌｌ ＩＤ ＃０）を使用するＣｏＭＰ環境におけるＰＵＳＣＨ及びＰＵＣＣＨがサービング送受信ポイントでない送受信ポイントに転送されるとき、ＳＲＳがサービング送受信ポイントに転送されることを示す図である。
【０１８４】
図１６及び図１７を参照すると、ＰＵＳＣＨ及びＰＵＣＣＨのＤＭ−ＲＳ ＩＤがサービング送受信ポイントと異なる送受信ポイントに設定された場合、サウンディング参照信号がサービング送受信ポイントに転送されるようになって、サウンディング参照信号とＰＵＳＣＨ及びＰＵＣＣＨが分離されて転送されるようになる。
【０１８５】
図１１に示すサウンディング参照信号転送方法において、サービング送受信ポイントの物理セルＩＤで生成するサウンディング参照信号は、周期的及び非周期的サウンディング参照信号のうちの少なくとも１つである。したがって、周期的及び非周期的サウンディング参照信号の全てをアップリンクチャンネルと独立してサービング送受信ポイントに転送することもできるが、周期的及び非周期的サウンディング参照信号のうちの１つはサービング送受信ポイントセルＩＤを用いて生成し、他の１つはアップリンク参照信号ＩＤを用いて生成することもできる。
【０１８６】
即ち、前述した非周期的サウンディング参照信号シーケンスのシーケンスグループナンバー及びベースシーケンスナンバーは、ＰＵＣＣＨまたはＰＵＳＣＨのシーケンス設定に従うようにし、周期的サウンディング参照信号はサービング送受信ポイントに転送されるようにシーケンスグループナンバー及びベースシーケンスナンバーを設定することもできる。
【０１８７】
0005981644.tif 000050
【０１８８】
図１８は、送受信ポイントが互いに異なるセルＩＤ（例えば、Ｃｅｌｌ ＩＤ ＃１、Ｃｅｌｌ ＩＤ ＃２）を使用するＣｏＭＰ環境におけるＰＵＣＣＨがサービング送受信ポイントでない送受信ポイントに転送されるとき、周期的ＳＲＳはサービング送受信ポイントに非周期的ＳＲＳはＰＵＣＣＨと連携されて転送されることを示す図である。
【０１８９】
図１９は、送受信ポイントが互いに同一なセルＩＤ（例えば、Ｃｅｌｌ ＩＤ ＃０）を使用するＣｏＭＰ環境におけるＰＵＣＣＨがサービング送受信ポイントでない送受信ポイントに転送されるとき、周期的ＳＲＳはサービング送受信ポイントに、非周期的ＳＲＳはＰＵＣＣＨと連携されて転送されることを示す図である。
【０１９０】
図１８及び図１９では、周期的ＳＲＳがサービング送受信ポイントに転送され、非周期的ＳＲＳがＰＵＣＣＨと連携される状況に対して説明したが、これは１つの例示であり、これに限られない。反対の状況、即ち非周期的ＳＲＳがサービング送受信ポイントに転送され、ＳＲＳがＰＵＣＣＨと連携されて転送されることもできる。非周期的ＳＲＳまたは周期的ＳＲＳがＰＵＣＣＨでないＰＵＳＣＨであってもよい。
【０１９１】
図１１、図１８、及び図１９を参照すると、サウンディング参照信号を生成するステップ（Ｓ１１２０）で、周期的及び非周期的サウンディング参照信号のうちの１つは前述した１つの送受信ポイント、即ちサービング送受信ポイント（例えば、ｅＮＢ１１０）の物理セルＩＤを使用して生成し、他の１つはアップリンク参照信号ＩＤで生成できる。また、サウンディング参照信号転送ステップ（Ｓ１１４０）で、前述した周期的及び非周期的サウンディング参照信号のうちの１つはサービング送受信ポイント（例えば、ｅＮＢ１１０）に転送し、他の１つは前述したアップリンク参照信号ＩＤが指示する送受信ポイント（例えば、ＲＲＨ１１２）に転送することができる。
【０１９２】
また、図１１を参照すると、送受信ポイントのうちの１つであるｅＮＢ１１０は、ｅＮＢ１１０に属する端末１２０に端末−特定構成情報を転送する（Ｓ１１１０）。ステップＳ１１１０で、端末１２０は端末−特定構成情報を受信する。
【０１９３】
0005981644.tif 000051
【０１９４】
0005981644.tif 000052
【０１９５】
0005981644.tif 000053
【０１９６】
0005981644.tif 000054
【０１９７】
併せて、端末１２０はＰＵＣＣＨと連携されたアップリンクＤＭ−ＲＳに対して割り当てられた帯域と同一な周波数帯域にＰＵＣＣＨを転送し、ＰＵＳＣＨと連携されたアップリンクＤＭ−ＲＳに対して割り当てられた帯域と同一な周波数帯域にＰＵＳＣＨを転送する（Ｓ１１３０）。受信ポイントのうち、ＤＭ−ＲＳを受信することができる送受信ポイントであるＲＲＨ１１２のみが受信したＤＭ−ＲＳを使用してＰＵＣＣＨまたはＰＵＳＣＨを受信できるようになる。
【０１９８】
0005981644.tif 000055
【０１９９】
0005981644.tif 000056
【０２００】
0005981644.tif 000057
【０２０１】
ステップＳ１１４０で、＜数式１＞により生成されたＤＭ−ＲＳシーケンスはサブフレームの該当シンボルにマッピングされる。ステップＳ１１４０は、図２０のリソース要素マッパー（resource element mapper）２０２０を通じて実行される。
【０２０２】
図２１及び図２２を参照したように、ＳＲＳはサブフレームの最後のシンボルに転送される。単一ＳＲＳ転送で関心のある全体周波数帯域に対するチャンネル品質を推定できるように十分に広いＳＲＳ転送を行うか、または狭帯域のＳＲＳを周波数領域でホッピングしながら転送することによって、このようなＳＲＳ転送が合わせられて関心のある全体周波数帯域をカバーするようにすることもできる。
【０２０３】
前述したように、ＳＲＳをリソース要素にマッピングが完了すると、ＳＣ−ＦＤＭＡ生成器（SC-FDMA generator；図２０に図示せず）によってＳＣ−ＦＤＭＡシンボルを生成する。生成されたＳＣ−ＦＤＭＡシンボルに該当するＳＲＳ信号を該当する送受信ポイントに転送する。
【０２０４】
前述した第２実施形態によれば、ＰＵＣＣＨまたはＰＵＳＣＨの受信ポイントがサービング送受信ポイントでない異なる送受信ポイントへの設定の場合、サウンディング参照信号の受信対象がサービング送受信ポイントになるように設定する。即ちサウンディング参照信号をＰＵＣＣＨまたはＰＵＳＣＨと連携関係を解除して転送する。サウンディング参照信号の転送は、サービング送受信ポイントのアップリンクチャンネル状態測定を可能にする。一方、ＰＵＣＣＨまたはＰＵＳＣＨは、チャンネルの信頼性確保及びアップリンク転送速度を高めるためのＭＵ−ＭＩＭＯを可能にするために、サービング送受信ポイントでない送受信ポイントに転送される。ここで、異なる送受信ポイントは、比較的高いジオメトリ（geometry）を有する。したがって、アップリンクのカバレッジ不足（coverage short）の克服及びアップリンク転送速度を増加させることが可能となる。
【０２０５】
前述した第１実施形態及び第２実施形態では、周期的または非周期的サウンディング参照信号を転送する場合、周期的または非周期的サウンディング参照信号は、ＰＵＣＣＨ及びＰＵＳＣＨとは独立的に設定されている。ＰＵＣＣＨまたはＰＵＳＣＨの受信対象がサービング送受信ポイントでない場合、サウンディング参照信号の受信対象がサービング送受信ポイントになるようにサウンディング参照信号のシーケンスを設定する。
【０２０６】
第１実施形態及び第２実施形態と区分される異なる実施形態によれば、非周期的または周期的ＳＲＳを転送する場合、該当ＳＲＳの生成のためのＳＲＳシーケンスのシーケンスグループナンバー及びベースシーケンスナンバーは、該当ＰＵＣＣＨまたはＰＵＳＣＨシーケンスと連携して生成される。
【０２０７】
前述したように、サウンディング参照信号をＰＵＣＣＨまたはＰＵＳＣＨと連携して転送する過程を説明するために、まずアップリンク参照信号の転送方法を説明する。
【０２０８】
図２３は、前述した端末のアップリンク参照信号転送方法を示すフローチャートである。
【０２０９】
図２３を参照すると、ステップＳ２３１０において、端末１２０は、互いに異なる２つ以上の送受信ポイントのうち、１つの送受信ポイント（例えば、ｅＮＢ１１０）からアップリンク参照信号ＩＤを指示する端末−特定構成情報を受信する。ここで、アップリンク参照信号ＩＤは、１つの送受信ポイント（ｅＮＢ１１０）の物理セルＩＤと独立し、アップリンクチャンネルと連携している。ステップＳ２３２０において、端末１２０は、アップリンク参照信号ＩＤを使用してアップリンクチャンネルと連携されたアップリンク参照信号を生成する。ステップＳ２３３０において、端末１２０は、このように生成されたアップリンク参照信号を上記アップリンク参照信号ＩＤが指示する送受信ポイントに転送する。
【０２１０】
前述したアップリンク参照信号転送方法において、アップリンク参照信号は物理アップリンクチャンネルの復調のためのＤＭ−ＲＳ（Demodulation Reference Signal）のことがあり、物理アップリンクチャンネルはＰＵＣＣＨ及びＰＵＳＣＨのうち、少なくとも１つ以上でありうる。
【０２１１】
図２３に示すアップリンク参照信号転送方法によれば、アップリンク参照信号が、端末１２０にダウンリンクチャンネルを転送する送受信ポイントの物理セルＩＤと独立したアップリンク参照信号ＩＤから生成されるところ、端末が転送するアップリンク参照信号の転送対象がダウンリンクチャンネルを転送する送受信ポイント（例えば、ｅＮＢ１１０）でない他の送受信ポイント（例えば、ＲＲＨ１１２）として設定できるようになる。勿論、アップリンク参照信号の転送対象が独立的に設定されればよいところ、図４に図示してはいないが、アップリンク参照信号の転送対象がダウンリンクチャンネルを転送する送受信ポイント（例えば、ｅＮＢ１１０）になることもできる。
【０２１２】
図２３に示すように、アップリンク参照信号を独立したアップリンク参照信号ＩＤから生成するとき、サウンディング参照信号も同一なアップリンク参照信号ＩＤから生成することができる。
【０２１３】
そして、前述したように、同一なアップリンク参照信号ＩＤからアップリンク参照信号とサウンディング参照信号のシーケンスを生成するようになれば、物理アップリンクチャンネルとサウンディング参照信号が連携されて受信対象が同一に設定されるようになる。即ち、アップリンクチャンネルとサウンディング参照信号が連携されて転送されるようになる。
【０２１４】
サウンディング参照信号は、前述したように、周期的サウンディング参照信号（periodic SRS）及び非周期的サウンディング参照信号（aperiodic SRS）のうち、少なくとも１つでありうる。
【０２１５】
図２３に示すアップリンク参照信号転送方法によれば、アップリンク参照信号の受信対象が多様に変わってもよい。このようなアップリンク参照信号に連携してサウンディング参照信号を転送する場合、周期的または非周期的サウンディング参照信号が物理アップリンク、即ちＰＵＣＣＨまたはＰＵＳＣＨと連携される。この場合、多様な場合の実施形態がありうる。
【０２１６】
以下、図２３に図示した方法の通り、アップリンク参照信号を転送するとき、これと連携してサウンディング参照信号を転送する方法に対して、第３実施形態と第４実施形態とに分けて説明する。
【０２１７】
第３実施形態：ＰＵＣＣＨと連携
【０２１８】
この際、第３実施形態は物理アップリンクチャンネルがＰＵＣＣＨの場合、即ちサウンディング参照信号がＰＵＣＣＨと連携されて転送される実施形態をいい、第４実施形態は物理アップリンクチャンネルがＰＵＳＣＨの場合、即ちサウンディング参照信号がＰＵＳＣＨと連携されて転送される実施形態をいう。
【０２１９】
図２４は、少なくとも１つの実施形態に係るＰＵＣＣＨと連携されたサウンディング参照信号転送方法のフローチャートである。図２４に示すＳＲＳ転送方法は、アップリンク参照信号と連携してＳＲＳを転送する。図２４に図示したフローチャートは図２３に示すアップリンク参照信号と、それに関連した物理アップリンクチャンネル転送過程を含んでいる。
【０２２０】
図２４を参照すると、第３実施形態に係るサウンディング参照信号転送方法のステップＳ２４１０において、端末１２０は、互いに異なる２つ以上の送受信ポイントのうち、１つの送受信ポイント（例えば、ｅＮＢ１１０））からアップリンク参照信号ＩＤを指示する端末−特定構成情報を受信する。ここで、アップリンク参照信号ＩＤは、１つの送受信ポイント（例えば、ｅＮＢ１１０）のセルＩＤと独立し、ＰＵＣＣＨと連携されている。ステップＳ２４２０において、端末１２０は、アップリンク参照信号ＩＤを使用してサウンディング参照信号（Sounding Reference Signal）の全部または一部を生成する。ステップＳ２４３０において、端末１２０は、アップリンク参照信号ＩＤが指示する送受信ポイント（ＲＲＨ１１２）にＰＵＣＣＨと連携された参照信号を転送する。ステップＳ２４４０において、端末１２０は、アップリンク参照信号ＩＤが指示する送受信ポイント（ＲＲＨ１１２）にＰＵＣＣＨを転送する。ステップＳ２４５０において、端末１２０は、生成されたサウンディング参照信号をアップリンク参照信号ＩＤが指示する送受信ポイント（ＲＲＨ１１２）に転送する。
【０２２１】
前述した部分で、ステップＳ２４３０及びステップＳ２４４０は同時に起こることができる。また、サウンディング参照信号とＰＵＣＣＨは１つのサブフレームで同時に転送できる。
【０２２２】
図２４に示す第３実施形態によるとき、ＰＵＣＣＨに対する受信ポイント（reception point）は、端末が属した送受信ポイント、例えばサービング送受信ポイントとは異なる送受信ポイントとして設定される。すなわち、ＰＵＣＣＨシーケンスと、ＰＵＣＣＨに連携された参照信号転送のためのシーケンスとが生成されたとき、端末−特定ＰＵＣＣＨシーケンス及びＰＵＣＣＨに連携された端末−特定参照信号シーケンスの設定によって、異なる送受信ポイントへのＰＵＣＣＨ転送が実行される。この場合、非周期的ＳＲＳまたは周期的ＳＲＳは、ＰＵＣＣＨとＰＵＣＣＨに連携された参照信号とにより設定される。したがって、ＰＵＣＣＨとＳＲＳとが、同一なターゲット送受信ポイントにアップリンクで転送される。
【０２２３】
図２５から図３０は、図２４に示すサウンディング参照信号転送方法によりサウンディング参照信号の全部または一部がＰＵＣＣＨと連携されて転送される多様な実施形態を示す図である。
【０２２４】
まず図２５は、送受信ポイントが互いに異なるセルＩＤ（例えば、Ｃｅｌｌ ＩＤ ＃１、Ｃｅｌｌ ＩＤ ＃２）を使用するＣｏＭＰ環境におけるアップリンク関連チャンネルの全てが、端末が属した送受信ポイントと異なる送受信ポイントに転送される例を示す図である。
【０２２５】
また、図２６は送受信ポイントが同一なセルＩＤ（例えば、Ｃｅｌｌ ＩＤ ＃０）を使用するＣｏＭＰ環境におけるアップリンク関連チャンネルの全てが、端末が属した送受信ポイントと異なる送受信ポイントに転送される例を示す図である。
【０２２６】
図２５及び図２６を参照すると、サウンディング参照信号とＰＵＣＣＨは、サウンディング参照信号とＰＵＣＣＨとの連携により同一な送受信ポイントに転送される。ＰＵＣＣＨとＰＵＳＣＨとが、端末１２０が属したサービング送受信ポイント（例えばｅＮＢ１１０）とは異なる送受信ポイント（例えば、ＲＲＨ１１２）に転送されると、端末１２０のサウンディング参照信号も、ＰＵＣＣＨとＰＵＳＣＨとともに、異なる送受信ポイント（例えば、ＲＲＨ１１２）に転送される。ここで、異なる送受信ポイント（例えば、ＲＲＨ１１２）は、比較的高いジオメトリ（geometry）及び比較的高いチャンネル品質を有する。結果的に全てのアップリンクチャンネル（例えば、ＰＵＣＣＨ、ＰＵＳＣＨ、及びＳＲＳ）が異なる送受信ポイント１１２に転送される。
【０２２７】
図２７は、送受信ポイントが互いに異なるセルＩＤ（例えば、Ｃｅｌｌ ＩＤ ＃１、Ｃｅｌｌ ＩＤ ＃２）を使用するＣｏＭＰ環境におけるサウンディング参照信号とＰＵＣＣＨが連携されて転送される例を示す図である。
【０２２８】
図２８は、送受信ポイントが同一なセルＩＤ（例えば、Ｃｅｌｌ ＩＤ ＃０）を使用するＣｏＭＰ環境におけるサウンディング参照信号とＰＵＣＣＨが連携されて転送される例を示す図である。
【０２２９】
図２７及び図２８を参照すると、物理ダウンリンク制御チャンネル（ＰＤＣＣＨ）と物理ダウンリンク共有チャンネル（ＰＤＳＣＨ）は該当端末１２０が属したサービング送受信ポイント（例えば、ｅＮＢ１１０）から受信する。アップリンク共有チャンネル（ＰＵＳＣＨ）は端末１２０が属したサービング送受信ポイント（例えば、ｅＮＢ１１０）に転送する。アップリンク制御チャンネル（ＰＵＣＣＨ）とＳＲＳとは端末１２０が属したサービング送受信ポイント（例えば、ｅＮＢ１１０）とは異なる送受信ポイント（例えば、ＲＲＨ１１２）に転送することができる。ここで、アップリンクチャンネルに該当するＰＵＣＣＨは、ダウンリンク転送に対するＡＣＫ／ＮＡＣＫ及びチャンネル状態情報などを転送する。
【０２３０】
図２９は、送受信ポイントが互いに異なるセルＩＤ（例えば、Ｃｅｌｌ ＩＤ ＃１、Ｃｅｌｌ ＩＤ ＃２）を使用するＣｏＭＰ環境における非周期的サウンディング参照信号のみＰＵＣＣＨと連携されて転送される例を示す図である。
【０２３１】
図３０は、送受信ポイントが同一なセルＩＤ（例えば、Ｃｅｌｌ ＩＤ ＃０）を使用するＣｏＭＰ環境における非周期的サウンディング参照信号のみＰＵＣＣＨと連携されて転送される例を示す図である。
【０２３２】
図２９及び図３０を参照すると、ＰＤＣＣＨとＰＤＳＣＨは、該当端末１２０が属したサービング送受信ポイント（例えば、ｅＮＢ１１０）から受信する。ＰＵＳＣＨと周期的ＳＲＳは端末１２０が属したサービング送受信ポイント（例えば、ｅＮＢ１１０）に転送する。ＰＵＣＣＨと非周期的ＳＲＳは、端末１２０が属したサービング送受信ポイント（例えば、ｅＮＢ１１０）とは異なる送受信ポイント（例えば、ＲＲＨ１１２）に転送することもできる。ここで、アップリンクチャンネルに該当するＰＵＣＣＨは、ダウンリンク転送に対するＡＣＫ／ＮＡＣＫ及びチャンネル状態情報などを転送する。
【０２３３】
0005981644.tif 000058
【０２３４】
また、図２４で、サウンディング参照信号は、周期的及び非周期的ＳＲＳのうちの少なくとも１つであるところ、図２９及び図３０を参照して説明したように非周期的サウンディング参照信号のみＰＵＣＣＨと連携して転送することができる。
【０２３５】
受信対象は、転送されるＳＲＳが周期的ＳＲＳか非周期的ＳＲＳかによって異なる。例えば、周期的ＳＲＳは端末１２０にサービングしているサービング送受信ポイントに転送される。非周期的ＳＲＳはＰＵＣＣＨで使用するシーケンスの設定に従う。したがって、ＰＵＣＣＨと非周期的ＳＲＳが同一なターゲット送受信ポイントに転送される。
【０２３６】
0005981644.tif 000059
【０２３７】
反対に、図面に図示してはいないが、非周期的ＳＲＳは端末にサービングしているサービング送受信ポイントを通じて転送される。周期的ＳＲＳはＰＵＣＣＨで使用するシーケンスの設定に従う。したがって、ＰＵＣＣＨと周期的ＳＲＳとは、同一なターゲット送受信ポイントに転送がされる。
【０２３８】
前述した第３実施形態に係るＳＲＳ転送方法によれば、ＰＵＣＣＨと連携してＳＲＳを転送してサービング送受信ポイントでない異なる送受信ポイントとのアップリンクチャンネル状態の測定を可能にすることで、アップリンクのカバレッジ短所（coverage shortage）を克服することができる。
【０２３９】
また、ＴＤＤシステムは、サービング送受信ポイントのダウンリンクに対するチャンネル品質、及び異なる送受信ポイント（例えば、サービング送受信ポイントとは異なる送受信ポイント）のダウンリンクに対するチャンネル品質を独立的に測定する。ここで、ＴＤＤシステムは、サービング送受信ポイント及び異なる送受信ポイントに対するアップリンクチャンネル品質測定及びチャンネル可逆性を用いる。また、ＳＲＳ転送方法は、ＳＲＳを用いた端末の位置把握や端末のジオメトリ（geometry）を把握するようにすることができる。したがって、端末がセル境界あるいはセル中央に位置する場合、端末−特定ダウンリンク転送方法を使用するようにすることによって、ダウンリンクに対するデータ処理量（data throughput）の改善にも使用できる。
【０２４０】
また、少なくとも１つの実施形態では、非周期的ＳＲＳのみをＰＵＣＣＨと連携して転送する。このような実施形態では、基地局からトリガリングされる非周期的ＳＲＳの転送を通じてサービング送受信ポイントでない異なる送受信ポイントのアップリンクチャンネル状態の測定を可能にする。これによって、アップリンクのカバレッジ短所を克服することができる。
【０２４１】
第４実施形態：ＰＵＳＣＨと連携
【０２４２】
以下、図３１から図３５を参照してＰＵＳＣＨとサウンディング参照信号の全部または一部が連携されて転送される第４実施形態に関して説明する。
【０２４３】
図３１は、本発明の実施形態に係るＰＵＳＣＨと連携されたサウンディング参照信号転送方法のフローチャートである。
【０２４４】
図２４と同様に、図３１に示すＳＲＳ転送方法は、アップリンク参照信号と連携してＳＲＳを転送する。したがって、図２４に示すフローチャートは図２３に示すアップリンク参照信号とそれに関連する物理アップリンクチャンネル転送過程を含んでいる。
【０２４５】
図３１を参照すると、一実施形態に係るサウンディング参照信号転送方法は、ステップＳ３１１０において、端末１２０は、互いに異なる２つ以上の送受信ポイントのうちの１つの送受信ポイント（例えば、ｅＮＢ１１０）からアップリンク参照信号ＩＤを指示する端末−特定構成情報を受信する。ここで、アップリンク参照信号ＩＤは、１つの送受信ポイント（例えば、ｅＮＢ１１０）のセルＩＤと独立し、ＰＵＳＣＨと連携している。ステップＳ３１２０において、端末１２０は、アップリンク参照信号ＩＤを使用してサウンディング参照信号（Sounding Reference Signal）の全部または一部を生成する。ステップＳ３１３０において、端末１２０は、アップリンク参照信号ＩＤが指示する送受信ポイント（例えば、ＲＲＨ１１２）にＰＵＳＣＨと連携された参照信号を転送する。ステップＳ３１４０において、アップリンク参照信号ＩＤが指示する送受信ポイント（例えば、ＲＲＨ１１２）にＰＵＳＣＨを転送する。ステップＳ３１５０において、端末１０は、生成されたサウンディング参照信号をアップリンク参照信号ＩＤが指示する送受信ポイント（例えば、ＲＲＨ１１２）に転送する。
【０２４６】
この際、図３１に図示されたステップＳ３１３０とステップＳ３１４０は、同時に起こることができる。また、サウンディング参照信号とＰＵＳＣＨは１つのサブフレームで同時に転送されることができ、サウンディング参照信号とＰＵＳＣＨ及びＰＵＣＣＨの全てが１つのサブフレームで同時に転送されることもできる。
【０２４７】
第４実施形態によれば、ＰＵＳＣＨに対する受信ポイント（reception point）は、端末が属した送受信ポイント、例えばサービング送受信ポイントとは異なる送受信ポイントとして設定される。すなわち、ＰＵＳＣＨシーケンスと、ＰＵＳＣＨに連携された参照信号転送のためのシーケンスとが生成されたとき、端末−特定ＰＵＳＣＨシーケンス及びＰＵＳＣＨに連携された参照信号シーケンスの設定によって、異なる送受信ポイントへのＰＵＳＣＨ転送が実行される。この場合、周期的ＳＲＳまたは非周期的ＳＲＳは、ＰＵＳＣＨとＰＵＳＣＨに連携された参照信号とにより設定される。したがって、ＰＵＳＣＨとＳＲＳとが、同一なターゲット送受信ポイントにアップリンクで転送される。
【０２４８】
この場合、ＰＵＳＣＨと周期的または非周期的ＳＲＳの受信対象が同一になる。ＰＵＳＣＨとＰＵＣＣＨの受信対象が同一である場合には、になれば、第１実施形態を説明する部分で図２５及び図２６を参照して図示したＳＲＳが転送される例が第４実施形態でも適用できる。
【０２４９】
図３２から図３５は、前述した図２５及び図２６に示す場合の以外に、図３１に示すサウンディング参照信号転送方法によりサウンディング参照信号がＰＵＳＣＨと連携されて転送される多様な実施形態を示す図である。
【０２５０】
まず図３２は、送受信ポイントが互いに異なるセルＩＤ（例えば、Ｃｅｌｌ ＩＤ ＃１、Ｃｅｌｌ ＩＤ ＃２）を使用するＣｏＭＰ環境におけるサウンディング参照信号とＰＵＳＣＨが連携されて転送される例を示す図である。
【０２５１】
図３３は、送受信ポイントが同一なセルＩＤ（例えば、Ｃｅｌｌ ＩＤ ＃０）を使用するＣｏＭＰ環境におけるサウンディング参照信号とＰＵＳＣＨが連携されて転送される例を示す図である。
【０２５２】
図３２及び図３３を参照すると、ＰＤＣＣＨとＰＤＳＣＨとは、該当端末１２０が属したサービング送受信ポイント（例えば、ｅＮＢ１１０）から受信する。アップリンクチャンネルの一つに該当するＰＵＣＣＨは、端末１２０が属したサービング送受信ポイント（例えば、ｅＮＢ１１０）に転送する。ここで、ＰＵＣＣＨは、ダウンリンク転送に対するＡＣＫ／ＮＡＣＫ及びチャンネル状態情報などを転送する。ＰＵＳＣＨとＳＲＳとは、端末１２０が属したサービング送受信ポイント（例えば、ｅＮＢ１１０）とは異なる送受信ポイント（例えば、ＲＲＨ１１２）に転送することができる。
【０２５３】
図３４は、送受信ポイントが互いに異なるセルＩＤ（例えば、Ｃｅｌｌ ＩＤ ＃１、Ｃｅｌｌ ＩＤ ＃２）を使用するＣｏＭＰ環境における非周期的サウンディング参照信号のみＰＵＳＣＨと連携されて転送される例を示す図である。
【０２５４】
図３５は、送受信ポイントが同一なセルＩＤ（例えば、Ｃｅｌｌ ＩＤ ＃０）を使用するＣｏＭＰ環境における非周期的サウンディング参照信号のみＰＵＳＣＨと連携されて転送される例を示す図である。
【０２５５】
図３４及び図３５を参照すると、ＰＤＣＣＨとＰＤＳＣＨとは、該当端末１２０が属したサービング送受信ポイント（例えば、ｅＮＢ１１０）から受信する。ＰＵＣＣＨと周期的ＳＲＳとは、端末１２０が属したサービング送受信ポイント（例えば、ｅＮＢ１１０）に転送する、ここで、アップリンクチャンネルの一つに該当するＰＵＣＣＨは、ダウンリンク転送に対するＡＣＫ／ＮＡＣＫ及びチャンネル状態情報などを転送する。ＰＵＳＣＨと非周期的ＳＲＳは、端末１２０が属したサービング送受信ポイント（例えば、ｅＮＢ１１０）とは異なる送受信ポイント（例えば、ＲＲＨ１１２）に転送することもできる。
【０２５６】
0005981644.tif 000060
【０２５７】
また、図３１でサウンディング参照信号は周期的及び非周期的ＳＲＳのうちの少なくとも１つであるところ、図３４及び図３５を参照して説明したように、非周期的サウンディング参照信号のみＰＵＳＣＨと連携して転送することができる。
【０２５８】
受信対象は、転送されるＳＲＳが周期的ＳＲＳか非周期的ＳＲＳかによって異なる。例えば、周期的ＳＲＳは端末１２０にサービングしているサービング送受信ポイントに転送される。非周期的ＳＲＳはＰＵＳＣＨで使用するシーケンスの設定に従う。したがって、ＰＵＳＣＨと非周期的ＳＲＳが同一なターゲット送受信ポイントにアップリンクで転送される。
【０２５９】
0005981644.tif 000061
【０２６０】
反対に、図面に図示してはいないが、非周期的ＳＲＳに対しては端末にサービングしているサービング送受信ポイントを通じて転送される。周期的ＳＲＳはＰＵＳＣＨで使用するシーケンスの設定に従う。したがって、ＰＵＳＣＨと周期的ＳＲＳとは、同一なターゲット送受信ポイントにアップリンクで転送される。
【０２６１】
前述した第４実施形態に係るＳＲＳ転送方法によれば、ＰＵＳＣＨと連携してＳＲＳを転送して、サービング送受信ポイントでない異なる送受信ポイントとのアップリンクチャンネル状態の測定を可能にすることで、アップリンクのカバレッジ短所（coverage shortage）を克服することができる。
【０２６２】
また、ＴＤＤシステムでは、サービング送受信ポイントのダウンリンクに対するチャンネル品質、及び異なる送受信ポイントのダウンリンクに対するチャンネル品質を独立的に測定する。ここで、ＴＤＤシステムは、サービング送受信ポイント及び異なる送受信ポイントに対するアップリンクチャンネル品質測定及びチャンネル可逆性を用いる。また、ＳＲＳ転送方法は、ＳＲＳを用いた端末の位置把握や端末のジオメトリ（geometry）を把握することができる。したがって、端末がセル境界あるいはセル中央に位置するに従うダウンリンク転送時の端末−特定ダウンリンク転送方法を使用するようにすることによって、ダウンリンクに対するデータ処理量（data throughput）の改善にも使用できる。
【０２６３】
また、少なくとも１つの実施形態では、非周期的ＳＲＳのみをＰＵＳＣＨと連携して転送する。このような実施形態では、基地局からトリガリングされる非周期的ＳＲＳの転送を通じてサービング送受信ポイントでない他の送受信ポイントとのアップリンクチャンネル状態の測定を可能にする。これによって、アップリンクのカバレッジ短所を克服することができる。
【０２６４】
図３６は、他の実施形態に係る端末の構成を示す図である。
【０２６５】
図３６を参照すると、少なくとも１つの実施形態によれば、端末３６００は、受信部３６１０、制御部３６２０、及び転送部３６３０などを含む。受信部３６１０は、互いに異なる２つ以上の送受信ポイントのうちの１つの送受信ポイントから、サウンディング参照信号ＩＤを指示する端末−特定パラメータを受信する。ここで、サウンディング参照信号ＩＤは、物理アップリンクチャンネルのためのアップリンク参照信号ＩＤと区分されて独立的に設定されている。制御部３６２０は、アップリンク参照信号ＩＤを使用してサウンディング参照信号を生成する。転送部３６３０は、生成されたサウンディング参照信号をサウンディング参照信号ＩＤが指示する送受信ポイントに転送する。
【０２６６】
図３６に示すように、少なくとも１つの実施形態による端末３６００は、図４に示すサウンディング参照信号転送方法によりサウンディング参照信号を物理アップリンクチャンネルと独立して転送する。
【０２６７】
図３７は、更に他の実施形態に係る端末の構成を示す図である。
【０２６８】
図３７を参照すると、本発明の実施形態に係る端末３７００は、受信部３７１０、転送部３７２０、サウンディング参照信号生成部３７３０、及びサウンディング参照信号転送部３７４０などを含む。受信部３７１０は、互いに異なる２つ以上の送受信ポイントのうちの１つの送受信ポイントからアップリンク参照信号ＩＤを指示する端末−特定パラメータを受信する。ここで、アップリンク参照信号ＩＤは、１つの送受信ポイントの物理セルＩＤと独立し、アップリンクチャンネルと連携している。アップリンクチャンネル転送部３７２０は、アップリンク参照信号ＩＤを使用してアップリンク参照信号ＩＤが指示する送受信ポイントにアップリンクチャンネルを転送する。サウンディング参照信号生成部３７３０は、前述した１つの送受信ポイントの物理セルＩＤを使用してサウンディング参照信号を生成する。サウンディング参照信号転送部３７４０は、生成されたサウンディング参照信号を前述した１つの送受信ポイントに転送する。
【０２６９】
この際、前述したアップリンクチャンネル転送部３７２０及びサウンディング参照信号転送部３７４０は、同一なハードウェアリソース、または互いに異なるハードウェアリソースでありうる。
【０２７０】
図３７を参照すると、本発明の実施形態に係る端末は、図１１に示すサウンディング参照信号転送方法により物理アップリンクチャンネルと分離してサウンディング参照信号をサービング送受信ポイントに転送することができる。
【０２７１】
図３８は、更に他の実施形態に係る基地局の構成を示す図である。
【０２７２】
図３８を参照すると、更に他の実施形態による基地局３８００は、制御部３８１０、送信部３８２０、及び受信部３８３０を含む。
【０２７３】
制御部３８１０は、前述した本発明の実行に必要とするＣｏＭＰ動作及びアップリンク参照信号の転送に従う全般的な基地局の動作を制御する。
【０２７４】
送信部３８２０及び受信部３８３０は、前述した本発明の実行に必要とする信号やメッセージ、データを端末と送受信することに使われる。
【０２７５】
前述した実施形態で言及した標準規格と関連した内容は明細書の説明を簡略にするために省略したものであって、本明細書の一部を構成する。したがって、上記の標準規格と連携した内容の一部の内容を本明細書に追加するか、または請求範囲に記載することは、本発明の範囲に該当するものと解釈されなければならない。
【０２７６】
具体的に、添付した以下の文書は既に公開された文書の一部で、本明細書の一部を構成する。したがって、上記の標準内容及び標準文書の一部の内容を本明細書に追加するか、または請求範囲に記載することは、本発明の範囲に該当するものと解釈されなければならない。
【０２７７】
以上の説明は、本発明の技術思想を例示的に説明したことに過ぎないものであって、本発明が属する技術分野で通常の知識を有する者であれば、本発明の本質的な特性から逸脱しない範囲で多様な修正及び変形が可能である。したがって、本発明に開示された実施形態は、本発明の技術思想を限定するためのものでなく、説明するためのものであり、このような実施形態によって本発明の技術思想の範囲が限定されるものではない。本発明の保護範囲は以下の請求範囲によって解釈されなければならず、それと同等な範囲内にある全ての技術思想は本発明の権利範囲に含まれるものと解釈されるべきである。
【０２７８】
CROSS-REFERENCE TO RELATED APPLICATION
【０２７９】
本特許出願は、２０１２年６月１１日付で韓国に出願した特許出願番号第１０−２０１２−００６２２７８号、２０１２年８月３１日付で韓国に出願した特許出願番号第１０−２０１２−００９６４４３号、及び２０１２年１２月６日付で韓国に出願した特許出願番号第１０−２０１２−０１４１２６２号に対して米国特許法１１９（ａ）条（３５Ｕ．Ｓ．Ｃ§１１９（ａ））によって優先権を主張し、その全ての内容は参考文献として本特許出願に併合される。併せて、本特許出願は米国の以外の国家に対しても上記と同一な理由により優先権を主張すれば、その全ての内容は参考文献として本特許出願に併合される。
【図１】
0005981644.tif 000062
【図２】
0005981644.tif 000063
【図３】
0005981644.tif 000064
【図４】
0005981644.tif 000065
【図５】
0005981644.tif 000066
【図６】
0005981644.tif 000067
【図７】
0005981644.tif 000068
【図８】
0005981644.tif 000069
【図９】
0005981644.tif 000070
【図１０】
0005981644.tif 000071
【図１１】
0005981644.tif 000072
【図１２】
0005981644.tif 000073
【図１３】
0005981644.tif 000074
【図１４】
0005981644.tif 000075
【図１５】
0005981644.tif 000076
【図１６】
0005981644.tif 000077
【図１７】
0005981644.tif 000078
【図１８】
0005981644.tif 000079
【図１９】
0005981644.tif 000080
【図２０】
0005981644.tif 000081
【図２１】
0005981644.tif 000082
【図２２】
0005981644.tif 000083
【図２３】
0005981644.tif 000084
【図２４】
0005981644.tif 000085
【図２５】
0005981644.tif 000086
【図２６】
0005981644.tif 000087
【図２７】
0005981644.tif 000088
【図２８】
0005981644.tif 000089
【図２９】
0005981644.tif 000090
【図３０】
0005981644.tif 000091
【図３１】
0005981644.tif 000092
【図３２】
0005981644.tif 000093
【図３３】
0005981644.tif 000094
【図３４】
0005981644.tif 000095
【図３５】
0005981644.tif 000096
【図３６】
0005981644.tif 000097
【図３７】
0005981644.tif 000098
【図３８】
0005981644.tif 000099